(57)【要約】【課題】第一部材と第二部材とが長手方向に一体化されており軸線の曲がり及び／又は捩じれを有する長尺状成形品を形状精度よく製造し得る方法及び装置を提供する。【解決手段】第一部材成形装置により所定の横断面形状の第一部材（樹脂成形体）１１０を塑性変形可能な状態で連続形成し、その成形装置からの第一部材１１０の供給方向及び／又は角度姿勢とは異なる向き及び／又は姿勢に配置された把持部５４に連続供給して曲げ及び／又は捩じり加工を施す。把持部５４を通過した第一部材１１０を、その軸線の位置及び／又は角度姿勢に対応して配置された押出型７３に通過させつつ、加熱溶融状態の樹脂成形材料を押出型７３に供給して第一部材１１０の曲がり及び／又は捩じれに沿って押し出し、該成形材料からなる所定断面形状の第二部材１２０を第一部材１１０に一体化させて長尺状成形体１００を得る。【選択図】  図１０
2004306530.tif 000002
【特許請求の範囲】
【請求項１】
長手方向に沿って軸線の曲がり及び／又は捩じれを有する長尺状成形品を製造する方法であって、
第一部材成形装置を用いて、所定の横断面形状を有するとともに長手方向の軸線に一定の曲率半径及び一定の角度姿勢を保たせて、塑性変形可能な長尺状の第一部材を長手方向に連続して形成する工程と、
前記第一部材成形装置の下流側に配置されたベンダーの第一部材把持部に前記第一部材を連続して供給し、該把持部で該第一部材を挿通可能に把持し、該把持部を前記第一部材の供給方向と交差する方向を向いた位置及び／又は前記一定の角度姿勢とは異なる姿勢に配置させて前記第一部材が該把持部を通過するときに該第一部材に軸線の曲げ加工及び／又は捩じり加工を施す工程と、
該把持部の近傍であって該把持部を通過する第一部材の軸線の位置及び／又は角度姿勢に対応した位置及び／又は姿勢に設けられた押出型に第一部材を通過させるとともに、加熱溶融した液状の第二部材形成用樹脂成形材料を該押出型のオリフィスから前記第一部材の曲がり及び／又は捩じれに追随させながら押し出して該成形材料からなる所定断面形状の第二部材を前記第一部材に一体化させる工程とを含むことを特徴とする、軸線の曲がり及び／又は捩じれを有する長尺状成形品の製造方法。
【請求項２】
前記把持部を通過する第一部材の長さに応じて前記把持部及び前記押出型の位置及び／又は姿勢を変更させ、該把持部を通過する第一部材の長手方向の一部に他の部分と異なる曲率半径の曲げ加工及び／又は他の部分と異なる角度の捩じり加工を施すとともに、前記オリフィスから押し出される前記第二部材を前記加工された第一部材の曲がり及び／又は捩じれに沿って一体化することを特徴とする請求項１に記載の製造方法。
【請求項３】
前記把持部は、下記（ａ）〜（ｃ）の動作：
（ａ）．前記第一部材の供給方向と交差する第一の方向に位置を変更する；
（ｂ）．前記第一の方向と直交する第二の方向に位置を変更する；
（ｃ）．前記角度姿勢を変更する；
のうち少なくとも二つを共に行うことを特徴とする請求項１又は２に記載の製造方法。
【請求項４】
前記第一部材の供給長さを検出して、該供給長さが所定の長さに達したとき前記把持部及び前記押出型の位置及び／又は姿勢を共に予め定められたプログラムに従って制御しながら変更することを特徴とする請求項１から３のいずれかに記載の製造方法。
【請求項５】
前記第二部材を前記第一部材に一体化させた後、該第二部材を強制的に冷却して固化させることを特徴とする請求項１から４のいずれかに記載の製造方法。
【請求項６】
前記第一部材成形装置で金属ストリップ材をロール成形して前記所定の横断面形状を有する第一部材を長手方向に連続して形成することを特徴とする請求項１から５のいずれかに記載の製造方法。
【請求項７】
前記第一部材成形装置で外側から冷却して固化させた樹脂成形体を押し出して所定断面形状を有する第一部材を長手方向に連続して形成することを特徴とする請求項１から５のいずれかに記載の製造方法。
【請求項８】
前記第一部材成形装置は、第一押出成形型とサイジング装置とを備え、該第一押出成形型から押し出された加熱溶融状態の樹脂成形材料を該サイジング装置のサイジング流路に供給し、その樹脂成形材料を該サイジング流路内で外側から冷却して固化させつつ所定の横断面形状に整形して、該所定の横断面形状の第一部材を該サイジング流路の排出口から、内側の温度が外側の温度よりも高い状態で押し出すことを特徴とする請求項７に記載の製造方法。
【請求項９】
前記サイジング流路の排出口よりも下流側で且つ前記把持部よりも上流側で、前記第一部材に前記排出口からの押出方向と同一方向の力を加え、この力を前記サイジング流路からの該第一部材の引抜力及び前記把持部への該第一部材の押込力として作用させることを特徴とする請求項７又は８に記載の製造方法。
【請求項１０】
前記第一部材の供給長さを検出して、該供給長さが所定の長さに達したとき前記押出型の下流側で前記第一部材に前記第二部材が一体化した長尺状成形体を切断することを特徴とする請求項１から９のいずれかに記載の製造方法。
【請求項１１】
長手方向に沿って軸線の曲がり及び／又は捩じれを有する長尺状成形品の製造装置であって、
所定の横断面形状を有するとともに長手方向の軸線に一定の曲率半径及び一定の角度姿勢を保たせて、塑性変形可能な長尺状の第一部材を長手方向に連続して形成する第一部材成形装置と、
前記第一部材成形装置の下流側に配置され、前記第一部材成形装置から連続して供給される前記第一部材を挿通可能に把持する把持部と、該把持部を前記第一部材の供給方向と交差する方向を向いた位置及び／又は前記一定の角度姿勢とは異なる姿勢に配置させる移動機構とを有するベンダーと、
前記第一部材を挿通可能な挿通孔及び加熱溶融した液状の第二部材形成用樹脂成形材料から所定断面形状の第二部材を押し出すオリフィスを有し前記把持部の配置と連動してその近傍に配置される押出型と、
を備えることを特徴とする、軸線の曲がり及び／又は捩じれを有する長尺状成形品の製造装置。
【請求項１２】
前記移動機構には、少なくとも前記第一部材の供給方向と交差する第一の方向に前記把持部の位置を変更する駆動源が少なくとも一つ連結されていることを特徴とする請求項１１に記載の製造装置。
【請求項１３】
前記移動機構には、少なくとも前記第一の方向と直交する第二の方向に前記把持部の位置を変更する駆動源が少なくとも一つ連結されていることを特徴とする請求項１２に記載の製造装置。
【請求項１４】
前記移動機構には、前記把持部の角度姿勢を変更する駆動源が少なくとも一つ連結されていることを特徴とする請求項１１から１３のいずれかに記載の製造装置。
【請求項１５】
前記第一部材成形装置の下流側で且つ前記ベンダーよりも上流側に、前記第一部材を保持してベンダー側に強制的に供給する第一部材供給装置を備えることを特徴とする請求項１１から１４のいずれかに記載の製造装置。
【請求項１６】
前記押出型は加熱手段を有するフレキシブルパイプで押出機に連結され、該押出機から加熱溶融状態で押し出された前記第二部材成形用樹脂成形材料が前記フレキシブルパイプを介して前記押出型に供給されることを特徴とする請求項１１から１５のいずれかに記載の製造装置。
【発明の詳細な説明】
【０００１】
【発明の属する技術分野】本発明は、長尺状の第一部材に沿って長尺状の第二部材が一体化された構成であって、その長手方向に沿って軸線の曲がり及び／又は捩じれを有する長尺状の成形品を製造するための製造方法と製造装置に関する。本発明の方法及び装置は、特に、樹脂成形材料からなる第二部材が第一部材から張り出して一体化された長尺状成形品に対して好ましく適用される。
【０００２】
【従来の技術】長尺状の第一部材に長尺状の第二部材が一体化された長尺状成形品が知られている。かかる長尺状成形品のなかには、長手方向の少なくとも一部で軸線が所定の曲率半径に曲げられ及び／又は捩じられているものがある。このような曲がり及び／又は捩じれ（以下、曲がり及び／又は捩じれを総称して「曲がり」ということもある。）を有する長尺状成形品の例としては、車両の車体縁に沿って取り付けられる長尺なトリム材、曲面構造をもつ建築物の縁に沿って取り付けられる建具等が挙げられる。
【０００３】
上記トリム材としては、車両のルーフの曲がりに沿って取り付けられるルーフモール（ルーフトリムともいう。）、車両のドアパネル等の窓開口縁の曲がりに沿って取り付けられるベルトモール等が例示される。第一部材と第二部材との材質の組み合わせとしては、
（１）．樹脂製の第一部材と、樹脂製の（第一部材と同じ樹脂組成でも異なる樹脂組成でもよい）第二部材との組み合わせ、及び、
（２）．金属製の第一部材と樹脂製の第二部材との組み合わせ、
が代表的である。
一般に、上述したベルトモールは上記（１）の組み合わせによるトリム材の例であって、相対的に硬度が高く剛性を有する第一の樹脂成形材料（第一部材形成用の樹脂成形材料）から所定の横断面形状（例えば略Ｕ字状）に成形された長尺な本体部（第一部材）と、上記第一の材料よりも軟質で柔軟性を有する樹脂成形材料（第二部材形成用の樹脂成形材料）から成形され本体部の一方の側面から前記窓開口内を移動する窓ガラスの板面に向けて突出するリップ（第二部材）とを備える。車両に取り付けて使用されるときには、上記リップが窓ガラスの板面に弾性的に圧接する。また、上述したルーフモールのなかには上記（２）の組み合わせからなるものがあり、例えば、外部に露出して頭部又は装飾部をなす金属製の本体部（第一部材）に沿って、車体パネルのルーフ溝内に圧接して該ルーフモールを係止する樹脂製のリップ（第二部材）が形成されたものがある。
【０００４】
従来、このようなトリム材は次のような方法で製造されていた。
即ち、上記（１）の組み合わせのトリム材（ベルトモール等）では、まず第一部材形成用の樹脂成形材料と第二部材形成用の樹脂成形材料とを加熱溶融させ、それら溶融した樹脂成形材料から本体部及びリップが夫々形成されるように両成形材料を樹脂押出成形型から同時に押し出して（共押出して）、所定の長さに切断する。これにより、本体部（第一部材）とリップ（第二部材）とが長手方向に沿って一体化された直線状の樹脂押出成形体（複合成形体）を作製する。その後、該直線状の樹脂押出成形体に曲がり形状を付与するため、曲げ型を用いて熱曲げを行う。その後に、熱曲げされた成形体を、所定形状の空間が設けられたアニール型にセットして、該成形体を構成する成形材料の熱変形温度をやや超え且つ該成形材料の溶融温度を下回る温度条件下に数時間から十数時間放置し、更にその温度を徐々に常温に戻した後にアニール型から樹脂成形品（トリム材）を取り出すという製造方法である。この種の技術は、例えば下記特許文献１に記載されている。
【０００５】
【特許文献１】特開２００２−３４７５３３号公報
【０００６】
また、上記（２）の組み合わせのトリム材（ルーフモール等）では、まず金属ストリップ材等を所定の断面形状にロール成形して長尺状の本体部を形成する。次いで、この本体部を樹脂押出成形型に連続して送り込むとともに、その樹脂押出成形型に第二部材形成用の樹脂成形材料を加熱溶融させて供給し、該押出成形型から予め成形された長尺状本体部と共に第二部材形成用の樹脂成形材料を押し出すことにより、本体部（第一部材）の少なくとも一部分に樹脂製のリップ（第二部材）を一体的に形成する。これを切断して所定長さの直線状の複合成形体を作製した後、ストレッチベンダー等を用いて該複合成形体の軸線曲げ加工を行う。これにより、複合成形体に所定の曲がり形状を付与してトリム材を製造するという製造方法が広く採用されていた。
【０００７】
上述した従来のトリム材の製造方法は、いずれも先ず第一部材と第二部材とが長手方向に一体化された長尺状の複合成形体を作製し、この複合成形体に対して曲げ加工を行うものである。このため、複合成形体の全体形状を変更するための曲げ加工によって複合成形体の横断面の一部に圧縮応力又は引っ張り応力が偏って発生し、そのような応力が限度を超えると横断面形状が意図しない形状に変形してしまうことがある。以下、このことについて図面を用いて説明する。
【０００８】
例えば、全体形状が直線状であって図２４に示す横断面形状を有する長尺状の複合成形体９００に対して、長手方向の一部に所定の曲率半径の曲げ加工を施すとする。ここで、複合成形体（例えば、車両用のルーフモールディング）９００は、比較的硬質で剛性を有する第一樹脂成形材料により形成された第一部材９１０と、第一樹脂材料よりも軟質で柔軟な第二樹脂成形材料により形成された第二部材（リップ）９２０とを備え、これらが長手方向に一体化された構成を有する。第一部材９１０は、比較的幅広な頭部９１２と、その底面から突出した一対の脚部９１４，９１４とを有する。第二部材９２０は、これらの脚部９１４，９１４の外側面からそれぞれ外方に張り出して一体化されている。図２３に示す側面図において二点鎖線で示すように、曲げ加工を施す前における複合成形体９００の全体形状はほぼ直線状であって、その横断面形状は長手方向の各部でほぼ一定（図２４に示す形状）である。
【０００９】
しかし、図２３に実線で示すように、このような複合成形体９００の長手方向の一部に曲げ加工を施して複合成形体９００を屈曲させる（図２３の右側部分を下方に屈曲させる）と、この複合成形体９００の上部（曲げ中心から遠い側、即ち曲げの外側）に長手方向の引張応力が発生する一方、下部（曲げ中心に近い側、即ち曲げの内側）に長手方向の圧縮応力が発生する。このため、曲げ加工を施した部分では、複合成形体９００の横断面形状が、曲げ加工が施されていない部分の横断面形状（曲げ加工を施す前の形状）から部分的に非意図的に変形してしまうことがある。図２５は、このように非意図的に変形した横断面形状を例示するものであって、複合成形体９００の下部で脚部９１４から外方に張り出して形成された第二部材９２０と脚部９１４とのなす角度が曲げ加工前（図２４に示す状態）とは変化した（減少した）状態を示している。複合成形体９００が車両用ルーフモールディングであって第二部材９２０がそのリップである場合、かかる変形によって第二部材９２０がリップとしての機能（遮蔽機能、係止機能等）を十分に果たせなくなるという不具合が生じることがある。
なお、ここでは第一部材９１０が樹脂製である場合につき説明したが、第一部材９１０が金属製である場合にも同様の事象が発生し得る。
【００１０】
【発明が解決しようとする課題】そこで本発明は、軸線の曲がり及び／又は捩じれを有し、その長手方向に沿って第一部材と第二部材とが一体化された構成であって、上記曲がり及び／又は捩じれに拘らず所望の横断面形状を有する長尺状成形品を製造し得る方法を提供することを目的とする。また、本発明の他の目的は、かかる製造方法を実施するのに適した製造装置を提供することである。
【００１１】
【課題を解決するための手段、作用及び効果】本発明によって以下に列挙する製造方法が提供される。
即ち、請求項１の発明は、長手方向に沿って軸線の曲がり及び／又は捩じれを有する長尺状成形品を製造する方法に関する。その製造方法は、第一部材成形装置を用いて、所定の横断面形状を有するとともに長手方向の軸線に一定の曲率半径及び一定の角度姿勢を保たせて、塑性変形可能な長尺状の第一部材を長手方向に連続して形成する工程を備える。また、前記第一部材成形装置の下流側に配置されたベンダーの第一部材把持部に前記第一部材を連続して供給し、該把持部で該第一部材を挿通可能に把持し、該把持部を前記第一部材の供給方向と交差する方向を向いた位置及び／又は前記一定の角度姿勢とは異なる姿勢に配置させて前記第一部材が該把持部を通過するときに該第一部材に軸線の曲げ加工及び／又は捩じり加工を施す工程を備える。また、該把持部の近傍であって該把持部を通過する第一部材の軸線の位置及び／又は角度姿勢に対応した位置及び／又は姿勢に設けられた押出型に第一部材を通過させるとともに、加熱溶融した液状の第二部材成形用樹脂成形材料を該押出型のオリフィスから前記第一部材の曲がり及び／又は捩じれに追随させながら押し出して該成形材料からなる所定断面形状の第二部材を前記第一部材に一体化させる工程を備える。
【００１２】
請求項１の製造方法では、先ず第一部材に曲げ加工及び／又は捩じり加工を施し、又は施しながら、その第一部材の位置及び／又は角度姿勢に対応して配置された押出型のオリフィスから第二部材成形用の樹脂成形材料を押し出すことにより、第一部材の曲げ及び／又は捩じれ形状に沿って（追随して）第二部材を押出形成することができる。このように、曲げ加工及び／又は捩じり加工された、又はされつつある第一部材の長手方向に沿って第二部材を押し出して一体化させることにより複合成形体を形成する。即ち、第二部材成形用の樹脂成形材料は上記オリフィスから加熱溶融状態で押し出されることから、第一部材の曲げ及び／又は捩じれ形状によく追随して所定断面形状の第二部材を形成することができるので、第一部材と第二部材とが既に一体化された直線状の複合成形体を曲げ及び／又は捩じり加工する場合に比べて、その形状（例えば横断面形状）の非意図的な変化（変形）が発生しにくい。従って、横断面形状の精度のよい長尺状成形品（目的物）を得ることができる。また、第二部材を第一部材に容易に一体化（付着）させることができる。
【００１３】
この製造方法によると、第一部材成形装置から連続的に供給される第一部材を、該供給方向から外れた方向に送出し得る向き（供給方向と交差するいずれかの方向に把持部の下流側出口が向いた位置）及び／又は供給時の角度姿勢とは異なる姿勢（第一部材の断面形状がその軸線の周りに所定の角度だけ回転した姿勢）に基準位置（姿勢）から変位させて配置された把持部に挿通することにより、第一部材に曲げ加工及び／又は捩じり加工を施すことができる。曲げ加工及び／又は捩じり加工の程度（例えば曲率半径、捩じれの強さ等）は、把持部の配置（位置（向き）及び／又は姿勢）等に応じて調整・制御することができる。従って、かかる第一部材に沿って第二部材を一体的に形成することにより、種々の形状の長尺状成形品を容易に製造することができる。請求項１の製造方法によると、上記のうち一又は二以上の効果が得られる。
なお、本明細書中において「樹脂成形材料」、「樹脂成形体」等の用語における「樹脂」とは、オレフィン系その他の熱可塑性エラストマー（ＴＰＥ）等の、いわゆるエラストマー材料を含む概念である。また、本明細書中において「曲率半径」という表現には、その半径が無限大である場合が包含される。従って、例えば「一定の曲率半径の第一部材」という表現で示される第一部材のなかには、直線状の第一部材が包含される。
【００１４】
請求項２の発明は、請求項１の製造方法において、前記把持部を通過する第一部材の長さに応じて前記把持部及び前記押出型の位置及び／又は姿勢を変更させ、該把持部を通過する第一部材の長手方向の一部に他の部分と異なる曲率半径の曲げ加工及び／又は他の部分と異なる角度の捩じり加工を施すものである。前記加工された第一部材の曲がり及び／又は捩じれに沿って、前記オリフィスから押し出される前記第二部材を一体化する。
かかる製造方法によると、第一部材に対して更に多様な（非一定の曲率半径及び／又は非一定の角度の捩じれを有する）形状の曲げ加工及び／又は捩じれ加工を施し、そのような第一部材の曲がり及び／又は捩じれに沿って第二部材を一体的に形成することができる。従って、請求項２の製造方法によると、請求項１の製造方法の奏する効果に加えて、更に多様な曲がり及び／又は捻じれ形状の長尺状成形品を効率よく製造することができるという効果が得られる。
なお、本明細書中において「曲率半径が異なる」という表現には、図１４に例示するように、樹脂成形体２００の一部分２０２と他部分２０３とで軸芯Ｐに対して互いに異なる側（例えば反対側）に曲げ中心（曲率半径の中心点）がある場合が包含される。同様に、本明細書中において「異なる角度に捩じられている」という表現には、長尺状の成形体（又は部材）の一部分と他部分とが互いに異なる方向に捩じられている場合が包含される。
【００１５】
請求項３の発明は、請求項１又は２の製造方法において、前記把持部は、下記（ａ）〜（ｃ）の動作：
（ａ）．前記第一部材の供給方向と交差する第一の方向に位置を変更する；
（ｂ）．前記第一の方向と直交する第二の方向に位置を変更する；
（ｃ）．前記角度姿勢を変更する；
のうち少なくとも二つを共に行うことを特徴とする。例えば、（ａ）．第一の方向（ｘ方向）として前記供給方向と交差する方向（例えば供給方向を含む仮想水平面に含まれるいずれかの方向であって該供給方向とは異なる方向）に位置を変え、更に第二の方向（ｙ方向）として前記第一の方向及び前記供給方向のいずれともほぼ直交する方向（例えば上記ｘ方向を含む仮想垂直面に含まれるいずれかの方向であって該ｘ方向とは異なる方向）に位置を変えることができる。
請求項３の製造方法によると、請求項１又は２の製造方法の奏する効果に加えて、更に多様な形状の長尺状成形品を製造することができるという効果が得られる。
【００１６】
請求項４の発明は、請求項１から３のいずれかの製造方法において、前記第一部材の供給長さを検出して、該供給長さが所定の長さに達したとき前記把持部及び前記押出型の位置及び／又は姿勢を共に予め定められたプログラムに従って制御しながら変更することを特徴とする。
かかる製造方法によると、上記検出器からの信号（供給長さ検出信号）に基づいて把持部の位置及び／又は姿勢を異ならせることにより、第一部材の長手方向の一部に他の部分と異なる曲率半径の曲げ加工及び／又は他の部分と異なる角度の捩じり加工を施すことができる。このような曲がり及び／又は捩じれ形状の第一部材に沿って第二部材を一体的に形成することにより、長手方向の一部に他の部分と異なる曲率半径の曲げ加工及び／又は他の部分と異なる角度（捩じれの強さ）の捩じり加工が施された長尺状成形品を製造することができる。また、上記押出型の一及び／又は姿勢の変更は予め定められたプログラムに従って行われるので、このプログラムを変更（交換）することにより、曲げ加工及び／又は捩じり加工の程度（例えば曲率半径、捩じれの強さ等）並びにかかる加工を施す箇所等を容易に調整・制御することができる。従って、請求項４の製造装置によると、請求項１から３のいずれかの製造方法の奏する効果に加えて、更に多様な形状の樹脂成形品を容易に製造することができるという効果が得られる。
【００１７】
請求項５の発明は、請求項１から４のいずれかの製造方法において、前記第二部材を前記第一部材に一体化させた後、該第二部材を強制的に冷却して固化させることを特徴とする。
かかる製造方法によると、第二部材を早期に固化させてその形状を安定化することができる。従って、請求項５の製造方法によると、請求項１から４のいずれかの製造方法の奏する効果に加えて、更に形状精度のよい長尺状成形品を効率よく製造することができるという効果が得られる。
【００１８】
請求項６の発明は、請求項１から５のいずれかの製造方法において、前記第一部材成形装置で金属ストリップ材をロール成形して前記所定の横断面形状を有する第一部材を長手方向に連続して形成することを特徴とする。
上述のように、従来このような成形品（例えば、上記（２）の組み合わせのトリム材）は、金属製の第一部材と樹脂製の第二部材とを一体化させた所定長さの複合成形体を作製し、これをストレッチベンダー等により曲げ加工することにより当該複合成形体に所定の曲がり形状を付与する等の方法で製造されていた。かかる従来の製造方法では、所定長さの複合成形体を作製する工程と、この複合成形体に曲げ加工を施す工程とを別途の工程で行うので製造工程が複雑化する。また、曲げ加工の際に長尺状の複合成形体の端末部分をチャックするので、このチャック部分を後に切断除去する工程が更に必要となるとともに、切断されたチャック部分が端材となって材料が無駄になる。
請求項６の製造方法によると、請求項１から５のいずれかの製造方法の奏する効果に加えて、更に上記従来の製造方法の有する課題のうち少なくとも一つを解決して、第一部材が金属製である長尺状成形品を良好に製造することができるという効果が得られる。
【００１９】
請求項７の発明は、請求項１から５のいずれかの製造方法において、前記第一部材成形装置で外側から冷却して固化させた樹脂成形体を押し出して所定断面形状を有する第一部材を長手方向に連続して形成することを特徴とする。
かかる製造方法によると、第一部材成形装置から連続的に供給される樹脂成形体（第一部材）を把持部に挿通することにより、この第一部材に曲げ加工及び／又は捩じり加工を施すことができる。第一部材成形装置から押し出される樹脂成形体（第一部材）は、少なくともその表面が固化しているので、把持部等によって横断面形状が不測に変形することなく安定して把持することができると共に、第一部材の表面に傷等の損傷を与えることがない。このため、請求項７の製造方法によると、請求項１から５のいずれかの製造方法の奏する効果に加えて、更に上記曲げ加工及び／又は捩じり加工を良好に行って、第一部材が樹脂製である長尺状成形品を良好に製造することができるという効果が得られる。
【００２０】
なお、上述のように、従来このような成形品（例えば、上記（１）の組み合わせのトリム材）は、樹脂製の第一部材と樹脂製の第二部材とを一体化させた所定長さの複合成形体を作製し、この複合成形体を熱曲げし、更に熱曲げされた複合成形体をその形状に対応したアニール型にセットして所定温度に長時間保持することにより、熱曲げにより生じた応力を緩和させて複合成形体の形状を安定化させていた。かかる従来の製造方法では、所定長さの複合成形体を作製する工程と、この複合成形体に曲げ加工を施す工程（熱曲げを行う工程及びアニール加工を行う工程）とを別途の工程で行うので製造工程が複雑化する。また、形状の異なる複数の種類の長尺状成形品を製造するには、その形状の種類毎にそれぞれ形状の異なる曲げ型及びアニール型を製作しなくてはならない。
請求項７の製造方法によると、把持部の配置（位置（向き）及び／又は姿勢）等に応じて第一部材の曲げ加工及び／又は捩じり加工の程度（例えば曲率半径、捩じれの強さ等）を調整・制御することができる。従って、そのような第一部材の曲がり及び／又は捩じれに沿って第二部材を一体的に形成することにより、種々の形状の長尺状成形品を容易に製造することができる。このことは、成形品の形状毎にそれぞれ別種の曲げ型及びアニール型を使用する従来の製造方法に対して大きな利点となり得る。
【００２１】
請求項８の発明は、請求項７の製造方法において、前記第一部材成形装置は、第一押出成形型とサイジング装置とを備え、該第一押出成形型から押し出された加熱溶融状態の樹脂成形材料を該サイジング装置のサイジング流路に供給し、その樹脂成形材料を該サイジング流路内で外側から冷却して固化させつつ所定の横断面形状に整形して、該所定の横断面形状の第一部材を該サイジング流路の排出口から、内側の温度が外側の温度よりも高い状態で押し出すことを特徴とする。
請求項８の製造方法によると、請求項７の製造方法の奏する効果に加えて、更に第一部材（樹脂成形体）の取扱性と加工性とのバランスをとりつつそれらを両立させることができるという効果が得られる。排出口から押し出された第一部材は、少なくとも排出口を出るときに「外表面部の温度よりも内部側の温度が高い状態」にあることが好ましく、排出口から把持部を通過するまで継続して上記温度状態にあることがより好ましい。
【００２２】
上記請求項８の製造方法の好ましい態様では、前記曲げ加工及び／又は捩じり加工が施される部分の第一部材を、外表面部の温度が該第一部材を構成する樹脂成形材料の熱変形温度を下回り、内部側の温度が該樹脂成形材料の熱変形温度以上で且つ溶融温度を下回る状態に保って前記加工を施す。かかる態様によると、更に表面傷付きや変形の少ない美観に優れた長尺状成形品を得ることができる。これは、外表面部の温度が熱変形温度（典型的には、ＪＩＳ  Ｋ  ７１９１−１〜ＪＩＳ  Ｋ  ７１９１−３に規定する「荷重たわみ温度」を指す。）以下であるので、加工の際に（例えば、把持部を通過する際、押出型を通過する際等に）第一部材の表面が傷つきにくいことによる。また、加工が施される部分の第一部材の内部側は、熱変形温度以上の温度にあるので加工性が良好である一方、溶融温度を下回る温度にあるので加工後の形状を適切に維持することができる。例えば、加工後に溶融部分が固化することにより第一部材が予期せぬ形状に変化したり、加工後の第一部材が元の形状に戻ろうとしたり、加工後の第一部材が外力によって予期せぬ変形を受けたりすることを防止することができる。従って、安定した曲がり及び／又は捩じれ形状の第一部材を押出型に通過させ、これを第二部材と一体化させて長尺状成形品を製造することができる。第一部材の外表面部及び内部側の温度は、少なくとも排出口を出るときに上記温度状態にあることが好ましく、排出口から押し出されてから把持部を通過するまで継続して上記状態にあることがより好ましい。
【００２３】
請求項９の発明は、請求項７又は８の製造方法において、前記サイジング流路の排出口よりも下流側で且つ前記把持部よりも上流側で、前記第一部材に前記排出口からの押出方向と同一方向の力を加え、この力を前記サイジング流路からの該第一部材の引抜力及び前記把持部への該第一部材の押込力として作用させることを特徴とする。
かかる製造方法によると、上記押出方向と同一方向の力によって、サイジング装置内を移動する成形材料に対して引張り力（引抜力）を付与することができる。これにより、サイジング装置からの第一部材（樹脂成形体）の押出速度（引抜速度）を制御するとともに、押し出された第一部材を把持部に適切に送り込む（押し込む）ことができる。このように、請求項９の製造方法によると、請求項７又は８の製造方法の奏する効果に加えて、更にサイジング装置からの第一部材の引き抜き及びその第一部材の把持部への押し込みを良好に行うことができるという効果が得られる。かかる第一部材に第二部材を一体化させることにより、形状精度（曲げ加工及び／又は捩じり加工の精度）のよい長尺状成形品を製造することができる。
【００２４】
請求項１０の発明は、請求項１から９のいずれかの製造方法において、前記第一部材の供給長さを検出して、該供給長さが所定の長さに達したとき前記押出型の下流側で前記第一部材に前記第二部材が一体化した長尺状成形体を切断することを特徴とする。
請求項１０の製造方法によると、請求項１から９のいずれかの製造方法の奏する効果に加えて、更に所望する長さの長尺状成形品を効率よく製造することができるという効果が得られる。
【００２５】
更に、本発明によって以下の製造装置が提供される。
即ち、請求項１１の発明は、長手方向に沿って軸線の曲がり及び／又は捩じれを有する長尺状成形品の製造装置に関する。その製造装置は、所定の横断面形状を有するとともに長手方向の軸線に一定の曲率半径及び一定の角度姿勢を保たせて、塑性変形可能な長尺状の第一部材を長手方向に連続して形成する第一部材成形装置を備える。また前記第一部材成形装置の下流側に配置され、前記第一部材成形装置から連続して供給される前記第一部材を挿通可能に把持する把持部と、該把持部を前記第一部材の供給方向と交差する方向を向いた位置及び／又は前記一定の角度姿勢とは異なる姿勢に配置させる移動機構とを有するベンダーを備える。また、前記第一部材を挿通可能な挿通孔及び加熱溶融した液状の第二部材形成用樹脂成形材料から所定断面形状の第二部材を押し出すオリフィスを有し前記把持部の配置と連動してその近傍に配置される押出型を備える。
【００２６】
請求項１１の製造装置によると、前記把持部を、第一部材成形装置からの第一部材の供給方向と交差する方向を向いた位置（即ち把持部に供給された第一部材が該供給方向とは異なる方向に送出される向きに前記把持部の出口を配した位置）及び／又は供給時の角度姿勢とは異なる姿勢（第一部材の断面形状がその軸線の周りに所定の角度だけ回転した姿勢）に基準位置（姿勢）から変位させて配置して装置を稼動させることにより、第一部材に軸線の曲げ加工及び／又は捩じり加工を施すことができる。そのような曲げ加工及び／又は捩じり加工が施された第一部材を、把持部の配置と連動してその近傍に配置された押出型の挿通孔に挿通させるとともに、その押出型のオリフィスから第二部材形成用樹脂成形材料を前記第一部材の曲がり及び／又は捩じれに追随させながら押し出す。これにより、該成形材料からなる所定断面形状の第二部材を前記第一部材に一体化させることができる。請求項１１の製造装置によると、このようにして、軸線の曲がり及び／又は捩じれを有し第一部材と第二部材とが長手方向に沿って一体化された構成であって、横断面形状の精度のよい長尺状成形品を製造することができる。
上記押出型を「把持部の配置と連動して」配置するにあたっては、その把持部を所定の位置及び／又は姿勢に配置させる移動機構を利用することができる。例えば、把持部の下流側端部に押出型を連結した構成とすることにより、移動機構が作動して把持部の配置が変わるとき、その把持部に連結された押出型の配置を該把持部とともに（連動させて）変更することができる。或いは、把持部の移動機構とは押出型の移動機構とを別系統としてもよい。
【００２７】
請求項１２の発明は、請求項１１の長尺状成形品の製造装置において、前記移動機構には、少なくとも前記第一部材の供給方向と交差する第一の方向に前記把持部の位置を変更する駆動源が少なくとも一つ連結されていることを特徴とする。
請求項１２の製造装置によると、請求項１１の製造装置の奏する効果に加えて、更に少なくとも二次元的な（例えば上下方向の）曲がり形状を有する長尺状成形品を容易に製造することができるという効果が得られる。
【００２８】
請求項１３の発明は、請求項１２の長尺状成形品の製造装置において、前記移動機構には、少なくとも前記第一の方向と直交する第二の方向に前記把持部の位置を変更する駆動源が少なくとも一つ連結されていることを特徴とする。
請求項１３の製造装置によると、請求項１２の製造装置の奏する効果に加えて、更に三次元的な（例えば上下方向及び左右方向への）曲がり形状を有する長尺状成形品をも容易に製造することができるという効果が得られる。
【００２９】
請求項１４の発明は、請求項１１から１３のいずれかの長尺状成形品の製造装置において、前記移動機構には、前記把持部の角度姿勢を変更する駆動源が少なくとも一つ連結されていることを特徴とする。
請求項１４の製造装置によると、請求項１１から１３のいずれかの製造装置の奏する効果に加えて、更に二次元又は三次元の曲がり形状並びに捩じり形状を有する長尺状成形品をも容易に製造することができるという効果が得られる。
【００３０】
請求項１５の発明は、請求項１１から１４のいずれかの製造装置において、前記第一部材成形装置の下流側で且つ前記ベンダーよりも上流側に、前記第一部材を保持してベンダー側に強制的に供給する第一部材供給装置を備えることを特徴とする。
請求項１５の製造装置によると、請求項１１から１４のいずれかの製造装置の奏する効果に加えて、更に第一部材の樹脂成形体の把持部への供給を良好に行うことができるという効果が得られる。これにより、第一部材の曲げ加工及び／又は捩じり加工を精度よく行うことができる。その結果、形状精度（曲げ加工及び／又は捩じり加工の精度）のよい長尺状成形品を製造することができる。
【００３１】
請求項１６の発明は、請求項１１から１５のいずれかの製造装置において、前記押出型は加熱手段を有するフレキシブルパイプで押出機に連結され、該押出機から加熱溶融状態で押し出された前記第二部材成形用樹脂成形材料が前記フレキシブルパイプを介して前記押出型に供給されることを特徴とする。
かかる製造装置によると、加熱手段を有するフレキシブルパイプ（成形材料供給管）を通じて、所定の好ましい温度に調整された加熱溶融状態の第二部材成形用樹脂成形材料を、位置及び／又は姿勢が変更される押出型に供給して、第一部材と共に押し出すことができる。従って、請求項１６の製造装置によると、請求項１１から１５のいずれかの製造装置の奏する効果に加えて、更に第二部材の形成（押出成形）を良好に行うことができるという効果が得られる。
【００３２】
【発明の実施の形態】以下、本発明の好適な実施形態を説明する。なお、本明細書において特に言及している事項以外の事柄であって本発明の実施に必要な事柄（例えば押出機の操作法のような押出成形に関する一般的な事項）は、いずれも従来技術に基づく当業者の設計事項として把握され得る。本発明は、本明細書及び図面によって開示されている事項と当該分野における技術常識とに基づいて実施することができる。
【００３３】
本発明の製造方法によって製造される長尺状成形品は、軸線の曲がり及び／又は捩じれを有する長尺状成形体であって、第一部材と、第一部材の長手方向に沿って一体化された第二部材とを備えていればよく、その他のエレメント（付属部分）の有無に関して特に制限はない。長尺状成形品の横断面に占める第一部材と第二部材との面積比（長尺状成形品に占める体積比）、第一部材及び第二部材の数並びにそれらの配置等は特に限定されない。例えば、単一の（ひと繋がりの）第一部材の長手方向に沿って一又は二以上の第二部材が一体化された構成の長尺状成形品の製造に対して好ましく適用することができる。また、第一部材の外側面から外方に張り出して第二部材が一体化された構成の長尺状成形品の製造に対して本発明を適用すると、その適用効果（例えば、所望の横断面形状の成形品を得る効果）がよく発揮されるので好ましい。
【００３４】
本発明に係る長尺状成形品の典型例では、その第一部材及び第二部材がいずれも樹脂成形材料により形成されている。使用する樹脂成形材料としては、熱可塑性樹脂を主体（マトリックス）とするものが好ましく、その他の成分に特に制限はない。なお、本明細書において「熱可塑性樹脂」とは、熱可塑性を示す合成樹脂、ゴム及びエラストマーを包含する用語である。
用いる熱可塑性樹脂としては、汎用樹脂でもエンジニアリング樹脂（所謂エンプラ）でも良く、結晶性樹脂でも非晶質樹脂でも良い。例えば、ポリプロピレン（ＰＰ）、アクリロニトリルブタジエンスチレン共重合体（ＡＢＳ）、アクリロニトリルエチレンプロピレンゴムスチレン共重合体（ＡＥＳ）、ポリアミド（ＰＡ）、ポリカーボネート（ＰＣ）、ポリアセタール（ＰＯＭ）、ポリエチレン（ＰＥ）、ポリスチレン（ＰＳ）、ポリフェニレンオキサイド（ＰＰＯ）、ポリメチルメタクリレート（ＰＭＭＡ）等が挙げられる。これらの他、種々のグレードのポリ塩化ビニル（ＰＶＣ）、ポリエチレンテレフタレート（ＰＥＴ）、ポリブチレンテレフタレート（ＰＢＴ）等を用いることが可能である。
環境に対する配慮がされるときには塩素等のハロゲンを含まない樹脂が好ましく、リサイクル性等の観点からポリエチレン、ポリプロピレン等のオレフィン系樹脂が特に好ましい。
【００３５】
上記の他、種々の熱可塑性エラストマー（例えばオレフィン系、スチレン系、ビニル系）を好適に使用することができる。特にリサイクル性の観点から例えばハードセグメントがオレフィン系樹脂であるオレフィン系熱可塑性エラストマー（ＴＰＯ）が好ましい。
本発明の実施にあたっては、例示したような熱可塑性樹脂の１種類をマトリックス成分とする成形材料を用いてもよく、或いは、２種類又は３種類以上の熱可塑性樹脂から成るポリマーコンプレックスやポリマーアロイをマトリックス成分とする成形材料を用いてもよい。
【００３６】
また、成形材料には、種々の副成分を含有させ得る。そのような副成分として好適なものに、粉状及び／又は繊維状の固形充填材が挙げられる。この種の固形充填材としては、安定した物性を有するもの（典型的には従来から充填材として使用されているもの）であれば特に制限なく使用することができる。例えば、セラミック粉（タルク等の種々の無機化合物粉を包含する。以下同じ。）、カーボン粉、木粉、セラミックファイバー、カーボンファイバーが例示される。或いは、鉄粉等の金属粉や植物等（例えば木綿）から成る繊維状有機物粉であってもよい。好ましいセラミック粉としては、酸化物、ケイ酸塩、炭酸塩等の粉状物（典型的には粒径１〜１０００μｍ）が挙げられる。ケイ酸塩としてはタルク、クレー、マイカ、ガラスビーズ等があり、強度向上の観点から特にタルクが好ましい。酸化物としてはシリカ、アルミナ、酸化チタン、酸化亜鉛、酸化マグネシウム、軽石等が挙げられる。炭酸塩としては炭酸カルシウム、炭酸マグネシウム等が挙げられる。また、セラミックファイバーの好適例としては、直径が０．１〜５００μｍ程度のガラスファイバー、ボロンファイバー、炭化ケイ素ファイバーが挙げられ、ガラスファイバーが特に好ましい。
【００３７】
なお、成形材料を調製するにあたっては、上記固形充填材の含有量（率）は、用いる充填材の種類及び最終的に得られた押出成形品の用途に応じて異なり得る。本発明の製造方法によると、例えば、第一部材の形成に用いる樹脂成形材料の固形充填材の含有率が３０質量％以上（例えば３０〜５０質量％）、或いは４０質量％以上（例えば４０〜６０質量％）であっても、表面平滑な第一部材（樹脂成形体）を製造することができる。勿論、固形充填材の含有率が上記範囲よりも低い成形材料を用いた場合にも、表面平滑な樹脂成形体を製造することができる。
また、成形材料には、上記固形充填材の他に、種々の補助成分を含有させることができる。かかる補助成分としては、酸化防止剤、光安定剤、紫外線吸収剤、可塑剤、滑剤、着色剤、難燃剤等が挙げられる。
このような成形材料は、従来公知の種々の方法によって所望する形態に調製することができる。例えば、所定の比率で熱可塑性樹脂と粉末状充填材とを配合したものを混練押出機にて混練し、ストランドに押出した後にペレット形状とすることができる。
【００３８】
第一部材を形成する樹脂成形材料（第一部材成形材料）と、第二部材を形成する樹脂成形材料（第二部材成形材料）とは、同一組成であってもよく異なる組成であってもよい。好ましい例では、第一部材が比較的硬質の熱可塑性エラストマー（例えば、ポリプロピレン等のオレフィン系樹脂をハードセグメントとするＴＰＯ）を主体とする（マトリックスとして含む）樹脂成形材料から形成される。これにより、第一部材の曲げ及び／又は捩じり加工を良好に行うことができる。また、曲がり及び／又は捩じれを付与した第一部材を押出型に挿通しやすい。第二部材は、比較的軟質の熱可塑性エラストマー（例えば、ハードセグメントがポリプロピレン等のオレフィン系樹脂であり、ソフトセグメントがエチレン−プロピレン−ジエン共重合体であるＴＰＯ）を主体とする樹脂成形材料から形成することができる。この場合には本発明の適用効果がよく発揮される、或いは、第一部材と同様の、比較的硬質の熱可塑性樹脂を主体とする樹脂成形材料から形成してもよい。
【００３９】
また本発明は、スチールやステンレススチール等の金属材料から形成された第一部材と、樹脂成形材料により形成された第二部材とが一体化してなる長尺状成形品の製造に対しても好ましく適用することができる。第一部材を構成する金属材料としては、長尺状成形品の用途等に応じて適切なものを選択すればよい。また、第二部材を構成する樹脂成形材料としては、第一部材が樹脂製である場合と同様に、上述した樹脂成形材料等を使用することができる。
【００４０】
＜実施態様例１＞
次に、本発明に係る製造方法に基づいて行う長尺状成形品の製造の好適な一実施形態を図面を参照しつつ詳細に説明する。本実施形態では、図６に示す横断面形状を有するとともに、図２及び図３に示す全体形状に成形された長尺状の樹脂成形品（車両用のルーフモールディングであって、車両の左側に取り付けて用いられるように成形されたもの）１００を製造する。
図６に示すように、このモールディング１００は、横断面がブリッジ状の樹脂成形体１１０（以下「基部成形体１１０」ともいう。）を備える。基部成形体１１０は、比較的幅広な頭部１１２と、その底面から突出した一対の脚部１１４，１１４とから構成されている。後述するように、頭部１１２と両脚部１１４とは一体に成形される。また、このモールディング１００は、基部成形体１１０の両脚部１１４の外側面に、該外側面からそれぞれ外方に張り出した形状のリップ（付加部）１２０を有する。
【００４１】
基部成形体１１０は、好ましくは比較的硬質のＴＰＯ（例えば、ポリプロピレン等のオレフィン系樹脂をハードセグメントとするオレフィン系熱可塑性エラストマー）を含む成形材料から形成される。例えば、そのようなＴＰＯ（例えば４０〜６０質量％）と、木粉等の粉状の固形充填材（例えば６０〜４０質量％）とからなる成形材料が好ましく用いられる。特に制限するものではないが、上記粉状の固形充填材としては、平均粒径が１〜１０００μｍ程度の範囲にあるものを用いるのが好ましい。一方、リップ１２０は、好ましくは比較的軟質のＴＰＯ（例えば、ハードセグメントがポリプロピレン等のオレフィン系樹脂であり、ソフトセグメントがエチレン−プロピレン−ジエン共重合体であるＴＰＯ）を主体とする成形材料から形成される。
【００４２】
上述のような横断面形状を有するモールディング１００は、図２及び図３に示す全体形状（外形形状）に成形されている。図２は、モールディング１００が車両に装着された状態を車両左側に相当する方向から見た図である。この図２の上下方向が車両の上下方向（以下、「Ｘ方向」ともいう。）に相当し、左右方向が車両の前後方向に相当する。図示するように、モールディング１００は、フロントピラーに装着される部分に相当するピラー相当部１０２、フロントピラーとルーフとの境界付近に装着されるコーナー相当部１０４、及びルーフに装着される部分に相当するルーフ相当部１０６が、車両の前方側に配置される側から順に一体に連続して形成されている。図３は、図２のＩＩＩ方向矢視図であって、モールディング１００を車両上側から見た状態に相当する。図示するように、ピラー相当部１０２は、ルーフ相当部１０６に対して車両外側にやや開いた状態に形成されている。なお、図３の上下方向が車両の幅方向（前記Ｘ方向と直交する方向。以下、「Ｙ方向」ともいう。）に相当する。
【００４３】
本実施例に係るモールディング１００は、コーナー相当部１０４よりもルーフ相当部１０６の曲率半径が大きく、ルーフ相当部１０６よりもピラー相当部１０２の曲率半径が更に大きくなるように成形されている。即ち、長手方向の一部分と他部分とが異なる曲率半径を有するように成形されている。図２及び図３には、このモールディング１００を構成する基部成形体１１０の軸線Ｐの「曲がり」を有する形状を一点鎖線で表している。また、モールディング１００は軸線Ｐの「捩じれ」をも有する。このため、モールディング１００の長手方向の一部と他部とではその断面形状の角度姿勢が異なる。モールディング１００の長手方向の一部分と他部分とでは、単位長さ当たりの軸線Ｐの捩じれの角度（捩じれの強さ）も異なる。
【００４４】
図４を用いて、モールディング１００の長手方向の一部分を基準としたときの他部分の位置及び角度姿勢を説明する。図４の（ａ）は、モールディング１００のルーフ相当部１０６の所定箇所に設定した基準点Ｏを含む横断面図（即ち図２）の（ａ）−（ａ）線断面図）である。また、図４の（ｂ）はコーナー相当部１０４のピラー側端部付近における横断面図（図２の（ｂ）−（ｂ）線断面図）、図４の（ｃ）はピラー相当部１０２における横断面図（図２の（ｃ）−（ｃ）線断面図）である。図４中には、これらの断面図（ａ），（ｂ）及び（ｃ）を、各断面におけるモールディング１００の相対的な位置及び姿勢（角度）に対応させて配置している。なお、図４の上下方向は上述のＸ方向に相当し、図４の左右方向は上述のＹ方向に相当する。図４の紙面に垂直な方向が車両の前後方向に相当する。また、記号θは軸線Ｐを中心とした回転角を示している。
図２及び図４から判るように、ルーフ相当部１０６の（ａ）−（ａ）線位置（図４の（ａ））における軸線Ｐ（基準点Ｏ）を基準として、コーナー相当部１０４の（ｂ）−（ｂ）線位置（図４の（ｂ））では、軸線ＰがＸ方向及びＹ方向にそれぞれ距離Ｘｂ，Ｙｂだけ変位するとともに、車両前方（紙面手前側）から見て時計回りに角度θｂだけ回転している。また、図４の（ａ）における軸線Ｐ（基準点Ｏ）を基準として、ピラー相当部１０２の（ｃ）−（ｃ）線位置（図４の（ｃ））では、軸線ＰがＸ方向及びＹ方向にそれぞれ距離Ｘｃ，Ｙｃだけ変位するとともに、車両前方（紙面手前側）から見て時計回りに角度θｃだけ回転している。モールディング１００は、このように軸線Ｐの曲がり及び捩じれを有する形状に成形されている。その曲がり及び捩じれの程度は、モールディング１００の長手方向の一部と他部とで異なっている。なお、図示しない車両右側のモールディングは、車両の幅方向中心を基準として上記左側のモールディングと対称形であり、同様に本発明を適用することができる。
【００４５】
このような断面形状及び全体形状を有するモールディング１００は、例えば以下のようにして製造することができる。図１は、本実施形態に係る樹脂成形品製造装置１の要部の概要を模式的に示す説明図である。
なお、便宜上、以下の説明では固化した後の基部成形体（樹脂成形体）１１０のみならず、基部成形体１１０を構成する成形材料そのものに言及する場合にも、溶融状態又は固化状態を問わず基部成形体１１０と同一の符号を付与するものとする。
【００４６】
図１に示すように、製造装置１の上流側（図１の左側部分）には、押出機１０（ここでは一般的な単軸式押出機）と該押出機１０の先端に連結された押出ダイ（第一押出成形型）２０及びサイジング装置３０が備えられている。これらは、塑性変形可能な長尺状の基部成形体（第一部材）１１０を長手方向に連続して形成する第一部材成形装置２を構成している。サイジング装置３０の下流側には引抜機（第一部材供給装置）４０が配置され、その下流側にはベンダー５０が配置されている。ベンダー５０は、成形体の把持部５４を有するＸ方向移動支持部材５２を備える。この把持部５４は、後述するＸ方向駆動軸６２４を介してＸ方向に回転可能に設けられている。
このＸ方向移動支持部材５２は駆動機構（上記「移動機構」に相当する）６０に装備されている。この駆動機構６０を作動させることにより、把持部５４の位置及び／又は姿勢を変更することができる。なお、本発明（請求項１の発明）の実施に必須の装置ではないが、本実施形態においては、ベンダー５０の入口側（把持部５４よりも上流側）に、曲げの支点となる曲げ支持機４５と、冷媒吹付機４８とを備えている。
以上は、図６に示す横断面形状のモールディング１００のうちの基部成形体（樹脂成形体）１１０を押し出して軸線の曲がり及び／又は捩じれを生じさせるためのユニットである（以下「基部成形用ユニット」ということもある。）。
【００４７】
また、図１に示すように、ベンダー５０（把持部５４）の下流側には、第二押出機７０と連結した第二押出ダイ（押出型）７３が配置される。この第二押出ダイ７３は、把持部５４を有するＸ方向移動支持部材５２の下流側に直接的に連結されている。駆動機構６０の作動により把持部５４がその位置及び／又は姿勢を変更するとき、第二押出ダイ７３は把持部５４と一体的に動く。第二押出機７０及び第二押出ダイ７３は、基部成形体１１０（図６参照）の一対の脚部１１４の外側面にリップ１２０を押出成形するためのユニット（以下「リップ成形用ユニット」という。）である。
図１に示すように、第二押出ダイ７３の下流側には、この第二押出ダイ７３から押し出されたモールディング１００を所望の長さに切断する切断機７６が設けられている。本実施態様の製造装置１は、切断機７６の下流側に、図示しない冷却装置等を更に備えた構成とすることができる。
【００４８】
まず、基部成形用ユニットについて説明する。
図１に示すように、第一押出機１０は一般的な単軸押出機であり、ペレットその他の形状で加熱シリンダ１２内に供給された基部成形材料１１０を溶融しつつ先端方向に送出するスクリュー１３を備える。加熱シリンダ１２の先端にダイ２０が取り付けられている。図７に示すように、ダイ２０の内部には、シリンダ１２に連通する溶融樹脂流路２２が形成されている。溶融樹脂流路２２の後半部分（下流側）は前半部分（上流側）よりも内形の小さいランド部２６を構成している。そのランド部２６の先端には、基部成形体１１０の横断面形状（図５参照）と整合する形状のオリフィス２７が形成されている。
【００４９】
一方、ダイ２０の金属製本体２１の周囲には、通電すると発熱するバンドヒータ２３が設けられている。バンドヒータ２３で発生した熱は、ダイ本体２１に伝導され、ダイ２０全体を加熱することができる。また、サイジング装置３０との連結部分（典型的にはオリフィス２７の周囲）には、ダイ２０とサイジング装置３０との間の熱の伝達を制限する断熱部（本実施形態では非接触の空間部）２８が設けられている。即ち、連結するサイジング装置３０によりダイ２０の熱が奪われて溶融樹脂の温度が低下し粘度が上がったり固化するのをバンドヒータ２３及び断熱部２８によって防止し、ランド部２６及びオリフィス２７周辺の溶融樹脂を所望する適温の溶融状態に保つことができる。なお、サイジング装置３０のダイ２０に面する表面は、いわゆる金属光輝面を形成しておくのが好ましい。このことにより、ダイ２０からの輻射熱を反射し、サイジング装置３０の温度上昇を更に効果的に抑えることができる。
【００５０】
更に、溶融樹脂流路２２及びランド部２６内には、成形材料よりも高い熱伝導率を有する金属製の熱伝達部材２５が配置されている。熱伝達部材２５は、熱伝導性の良い金属製の連結部材（図示せず）を介してダイ本体２１に接して連結されている。これにより、バンドヒータ２３からダイ本体２１に付与された熱を、連結部材を介して熱伝達部材２５に速やかに伝えることができる。更に、熱伝達部材２５は、図示しない外部電源と通電可能に接続する電気ヒータを内蔵しており、通電量を変えることによって簡単に温度を調節することができるようにしておくのが好ましい。
図７に示すように、この実施形態では、熱伝達部材２５の縦断面形状は流路の前後方向に沿った扁平形状であって、流路の下流側に位置する先端部分は先細り形状になっている。この先端部分は、オリフィス２７を超えてサイジング装置３０の後述するサイジング流路３１に入り込んでいる。また、熱伝達部材２５の横断面形状は、図５に示す基部成形体１１０の横断面形状の頭部１１２及び二つの脚部１１４の厚みの中央部分に対応する形状となっている。この熱伝達部材２５は、オリフィス２７の位置において成形材料１１０が熱伝達部材２５を包囲するようにして通過する位置に配置されている。
【００５１】
図７に示すように、サイジング装置３０の内側には、オリフィス２７に連通するサイジング流路３１が形成されている。このサイジング流路３１の内面は平滑面であり、好ましくは鏡面に近い平滑面である。サイジング流路３１の横断面形状は、流路の前後方向でほぼ一定であって、基部成形体１１０の横断面形状（図５参照）と整合するように形成されている。このサイジング装置３０は、いくつか（本実施形態では四つ）の冷却ユニット３０Ａ〜３０Ｄを備え、各ユニットは相互に独立して制御可能な冷却手段をそれぞれ有している。本実施形態に係る冷却手段は冷媒用通路３５Ａ〜３５Ｄを構成しており、サイジング流路３１を囲むようにして設けられている。これら冷媒用通路３５Ａ〜３５Ｄのそれぞれに最も適した温度に調節した水やオイル等の冷媒を通すことによって、サイジング装置３０の各部分をそれぞれ所望する温度まで冷却することができる。これら冷媒は、別途用意した図示しないチラー等の温度調節機とサイジング装置３０（冷媒用通路３５Ａ〜３５Ｄ）との間を循環させて使用すると良い。これにより成形材料（樹脂）の熱を効率よく奪うことができる。
【００５２】
図１に示す第一押出機１０から供給された基部成形材料１１０は、マトリックス（熱可塑性樹脂）成分が溶融した状態（加熱溶融状態）で、その成形材料の溶融温度以上に加熱されたダイ２０のオリフィス２７からサイジング装置３０のサイジング流路３１に押し出される。その際、図７に示すサイジング流路３１の内壁面３１ａを、上記マトリックス成分の融点を下回る温度（好ましくは熱変形温度以下）に調節しておく。これにより、サイジング装置３０のサイジング流路３１に押し出された成形材料１１０を外側から冷却して、内壁面３１ａに接する表面部分から徐々に固化させていくことができる。
一方、熱伝達部材２５は、ダイ本体２１からの伝熱により（必要によっては通電して）、基部成形材料１１０のマトリックス成分（熱可塑性樹脂成分）の融点を上回る温度まで加熱しておく。かかる熱伝達部材２５からその周囲を流れる成形材料１１０に熱が伝達されることによって成形材料１１０の温度低下が防止され、サイジング流路３１に進入した成形材料１１０の内部に、熱伝達部材２５の先端部分を越える領域まで溶融部分を存続させておくことができる。なお、図７に示す境界線Ｂは、サイジング流路３１を流れる基部整形材料１１０の固化部分１１０ａと溶融部分１１０ｂとの境界を模式的に示したものである。このように、サイジング流路３１に進入した後も成形材料１１０の内部に溶融部分１１０ｂが暫く残存するので、その液状の溶融部分１１０ｂに伝わる第一押出機１０側からの押圧力（膨出圧力）により成形材料１１０の固化した表面をサイジング流路３１の平滑な内壁面３１ａに圧接させて前記平滑面を成形材料１１０の表面に転写させて平滑面とすると共に、該圧力を押出方向の力として作用させることができる。なお、上記平滑な内壁面３１ａは、この内壁面に接して押出方向に移動する成形材料１１０の摺動抵抗を増大させないという利点をも有する。
【００５３】
このようにして、サイジング流路３１に供給された成形材料１１０をサイジング流路３１内で外側から冷却して固化させつつ、サイジング流路３１の内壁面３１ａに圧接させて所定の（サイジング流路３１の横断面形状に対応した）横断面形状に整形する。そして、サイジング流路３１の末端の排出口３８から該所定の横断面形状に整形された成形材料１１０（樹脂成形体１１０）を押し出す。この押し出しは、サイジング流路３１の形状及び向きに対応した一定の押出方向及び一定の角度姿勢で行われる。排出口３８から押し出される樹脂成形体１１０は、外力により塑性変形可能な状態であって、少なくともその外表面部が固化している（即ち、成形材料１１０の熱変形温度を下回る温度状態にある）。樹脂成形体１１０の外表面部が熱変形温度を下回る温度状態にあり、内部側が熱変形温度を上回る温度状態（より好ましくは、熱変形温度を上回り且つ溶融温度を下回る温度状態）にあることが好ましい。例えば、冷却手段３５Ａ〜３５Ｄ及び／又は熱伝達部材２５の温度を適切に制御することにより、かかる温度状態での押し出しを実現することができる。
【００５４】
このようにしてサイジング流路３１の排出口３８から連続的に押し出される成形体１１０は、図１及び図７に示すように、その排出口３８の下流位置に設けられた引抜機４０に導入される。この引抜機４０は、成形体１１０に押出方向の力を与えると共に、後述するベンダーへの供給力を与える。即ち、サイジング装置３０から樹脂成形体１１０を引き抜くと共に、後述するベンダーへの押込力を付与する装置である。図１及び図７に示すように、本実施形態に係る引抜機４０は、駆動源（典型的には回転数制御可能なモータＭ２）によって回転駆動する一対のローラ４２，４３を備えている。これらのローラ４２，４３は、樹脂成形体１１０の排出口３８からの押出方向の延長線を上下から挟むような位置に配置されている。従って、排出口３８から押し出された樹脂成形体１１０は、そのままの押出方向でローラ４２，４３を通過する。ローラ４２，４３をそれぞれ図１及び図７に示す方向に回転駆動すると、樹脂成形体１１０に排出口３８からの押出方向と同一方向の力が加えられる。この力によって樹脂成形体１１０が、ローラ４２，４３に圧接され挟まれた状態で、それらの回転速度に応じた速度で（ローラ４２，４３の回転と連動して）サイジング装置３０から引き抜かれる。この力は、樹脂成形体１１０を引抜機４０から下流側に送り出して後述するベンダー５０の把持部５４へ押込む力（押込力）としても作用する。かかる引抜機４０を設けることによって、サイジング装置３０内の摩擦が大きくても樹脂成形体１１０を排出口３８から安定して押し出すことができる。また、ローラ４２，４３の回転速度（引抜速度）を制御することによって、流路２２，２６内の溶融材料の圧力を一定に保つことができる。
【００５５】
この一対のローラ４２，４３は、樹脂成形体１１０を挟持してスリップを生じることなくその移動速度を調節し得るものであれば、その表面形状や材質に特に制限はない。例えば、外周面にローレット加工等による凹凸面が形成されたローラ（スチール製等）を使用すると、当該ローレット加工面が樹脂成形体の表面に食い込んで回転駆動するため、ローラと樹脂成形体との間にスリップが無く、樹脂成形体に確実に引抜力（把持部への押込力）を付与することができる。また、ローラ４２，４３の位置で樹脂成形体１１０の表面の傷付きが受け入れられないときには、ローラに挟まれることによって好ましくない痕跡が当該成形体の表面に形成されるのを防止するため、ゴム製のローラを用いるとよい。或いは、円筒形のローラに代えてゴム製のベルトやクローラ（無限軌道形状）等を用いるとよい。なお、ローラは一対に限られず、二対以上設けてもよい。
【００５６】
ここで、上述のように樹脂成形体１１０はローラ４２，４３の回転と連動してサイジング装置３０から引き抜かれるので、ローラ４２，４３の回転量及びローラの直径等に基づいて、サイジング装置３０から引き抜かれた樹脂成形体１１０の長さ（引抜長さ）を検出することができる。即ち、このローラ４２，４３を駆動する接続されたモータＭ２を、樹脂成形体１１０の引抜長さを検出する長さ検出器として機能させることができる。例えば図１に示すように、別途設けた制御装置（典型的にはＣＰＵ等を備えて成るマイコン部）８２をモータＭ２に電気的に接続し、このモータＭ２からローラ４２，４３の回転量を引抜長さ検出信号Ｓ４として制御装置８２に送る。制御装置８２は、この信号Ｓ４をベースに得られる値を樹脂成形体１１０の引抜長さとみなし、その引抜長さ（供給長さ）に応じて後述する駆動装置６０の作動（典型的には成形体把持部５４を構成するＸ方向移動支持部材５２の位置（向き）及び／又は姿勢）を制御することができる。
【００５７】
好ましくは図１に示すように、ダイ２０の流路２２を流れる成形材料の圧力を測定し得る圧力センサ８０を設け、このセンサ８０を制御装置８２と電気的に接続する。かかる構成により、制御装置８２を引抜機４０のローラ４２，４３を駆動させるためのモータドライバとして機能させることができる。その結果、ダイ２０の溶融樹脂流路２２の内壁面２２ａで受ける成形材料１１０の圧力をセンサ８０により検出し、その検出値をベースにして引抜機４０の駆動源（モータの回転数）を制御し、圧力の増減変動に応じてローラ４２，４３の回転速度を適宜増減制御することができる。このことによって、ダイ２０の溶融樹脂流路２２を流れる成形材料１１０の圧力を一定化させ、サイジング流路３１の内壁面３１ａに対する成形材料１１０の圧力を好適な範囲に自動的に維持することができる。
【００５８】
例えば以下のような制御を行うことができる。即ち、制御装置８２は圧力センサ８０からの圧力検知信号Ｓ１を所定の時間毎に継続して受信する。そして、受信した圧力検知信号Ｓ１が予め設定した圧力レベル（初期圧力レベル）に相当するときは、モータＭ２に対して引抜速度指令信号Ｓ３を送り、初期設定されている引抜速度（初期引抜速度）で樹脂成形体１１０を引き抜くようにモータＭ２の制御を行う。しかし、何らかの原因によって、初期圧力レベルよりも高い圧力を示す圧力検知信号Ｓ１が受信された際には、引抜速度指令信号Ｓ３により、初期引抜速度よりも大きい引抜速度となるようにローラ４２，４３の回転速度を上げるためのモータＭ２の制御を行う。一方、何らかの原因によって、初期圧力レベルよりも低い圧力を示す圧力検知信号Ｓ１が受信された際には、引抜速度指令信号Ｓ３により、初期引抜速度よりも小さい引抜速度となるようにローラ４２，４３の回転速度を下げるためのモータＭ２の制御を行う。このようにして、サイジング流路３１の内壁面３１ａに対する成形材料１１０の圧力を好適な一定の範囲に維持することができる。
【００５９】
この制御装置８２は、更に第一押出機１０のスクリュー１３の駆動源（モータ）Ｍ１と接続された構成とすることができる。圧力センサ８０からの圧力検知信号Ｓ１に応じてモータＭ１の回転数を制御することにより、第一押出機１０からの成形材料１１０の押出量（単位時間に押し出される成形材料の体積又は質量）を調節して、サイジング流路３１の内壁面３１ａに対する成形材料１１０の圧力を好適な一定の範囲に維持する効果を高めることができる。例えば、制御装置８２の受信した圧力検知信号Ｓ１が初期圧力レベルよりも高い場合（或いは低い場合）には、この制御装置からモータＭ２に送出速度制御信号Ｓ２を送り、スクリュー１３の回転数を下げる（或いは上げる）ためのモータＭ１の制御を行うとよい。
【００６０】
図１に示すように、引抜機４０のローラ４２，４３によって引抜力（下流方向への押込力）を付与された樹脂成形体１１０は、曲げ支持機４５を介してベンダー５０に供給される。曲げ支持機４５には、成形体１１０を曲げるときの支点となる少なくとも一対のローラ４６，４７が備えられ、好ましくは樹脂成形体１１０の外周を四方から囲む二対のローラが備えられている。これらのローラ４６，４７は、引抜機４０から供給された樹脂成形体１１０の送出方向（排出口３８からの押出方向と実質的に同じ）の延長線を上下及び／又は左右から挟むような位置に配置されている。従って、排出口３８から押し出された樹脂成形体１１０は、そのままの押出方向で（一定の押出方向及び一定の角度姿勢で）ローラ４６，４７の間を通過する。曲げ支持機４５は、ローラ４６，４７によって樹脂成形体１１０の送出方向（押出方向）への移動を許容するが、樹脂成形体１１０の他の方向（例えば、送出方向と交差する方向）への移動を阻止するように構成されている。なお、成形体１１０の表面の傷付きを防ぐために、ローラ４６，４７の表面は平滑に加工（好ましくは鏡面加工）されていることが好ましい。典型的には、これらローラ４６，４７には、樹脂成形体１１０に対して積極的に力を加えるような駆動機構は接続されていない。この曲げ支持機４５のローラ４６，４７が後述する樹脂成形体１１０を曲げるときの曲げ支点となる。なお、曲げ支持機４５を用いないときは、例えば引抜機４０のローラ４２，４３を曲げ支点として作用させることができる。
【００６１】
図１に示すように、曲げ支持機４５の下流側でベンダー５０（把持部５２）の上流側には、この部分を通過する樹脂成形体１１０に冷媒（例えば液体窒素）を供給する冷媒吹付機４８が設けられている。必要に応じてこの冷媒吹付機４８を作動させて、樹脂成形体１１０を外表面側から強制的に冷却することができる。これにより樹脂成形体１１０の温度状態を調整することができる。例えば、図示しない冷媒タンク等に接続された冷媒供給路４９から冷媒吹付機４８に冷媒（例えば液体窒素）を供給し、この冷媒を冷媒吹付機４８から樹脂成形体１１０に向けて吹き付けるとよい。なお、図１では模式的に樹脂成形体１１０の上下の二箇所から冷媒を吹き付けるように構成された冷媒吹付機４８を図示しているが、冷媒吹付機４８の構成はこれに限られるものではない。例えば、冷媒の吹付位置、吹付方向、吹付箇所の数等を適宜変更した形態で実施することができる。また、サイジング装置３０での冷却が不足のときは、同様に構成された冷媒吹付機を引抜機４０と曲げ支持機４５との間に設けてもよい。
【００６２】
次に、Ｘ方向移動支持部材５２及びその位置及び／又は姿勢を変更する駆動機構６０につき説明する。
図８及び図９に示すように、駆動機構６０は、それぞれ独立して作動可能なＸ方向駆動機構６２と、Ｙ方向駆動機構６４と、θ方向駆動機構６６とを含んで構成されている。それらの駆動機構の全体が、図９に示す基台６１によって支えられている。
θ方向駆動機構６６は、基台６１に固定されたリング状の回転支持部材６６８と、その回転支持部材６６８の内周に同軸を保って回転可能に嵌め込まれたリング状の回転部材６６２と、回転部材６６２の外周部に配置された駆動部材６６３と、この駆動部材６６３にキー止め固定された駆動軸６６４を回転駆動する駆動源としてのθ方向駆動モータ（正逆回転可能で正確な回転制御を行うことのできるサーボモータ）Ｍ３とを備える。駆動部材６６３の外周には平歯６６３ａが形成され、回転部材６６２の外周に形成された平歯６６２ａと噛み合っている。駆動モータＭ３を駆動させると、この平歯６６２ａ，６６３ａの噛み合いによって駆動部材６６３の回転が回転部材６６２に伝達され、回転部材６６２がその中心点（図示せず）の回りに回転する。また、回転部材６６２の内部（内周側）には、その回転移動をＸ方向駆動機構６２及びＹ方向駆動機構６４に伝える板状の回転伝達部材６６９が二つ、互いに平行に設けられている。
【００６３】
また、Ｙ方向駆動機構６４は、Ｙ方向駆動軸６４４によって上記回転伝達部材６６９の間に軸支されたＹ方向移動支持部材６４２と、Ｙ方向移動支持部材６４２にキー止め固定されたＹ方向駆動軸６４４を回転駆動する駆動源としてのＹ方向駆動モータ（サーボモータ）Ｍ４とを備える。このＹ方向支持部材６４２は、底面部６４２ａと、その両側から立ち上がった一対の側面部６４２ｂとを有する。
そして、Ｘ方向駆動機構６２は、Ｘ方向駆動軸６２４を介してＹ方向支持部材６４２の底面部６４２ａに回転可能に取り付けられたＸ方向移動支持部材５２と、そのＸ方向移動支持部材５２にキー止め固定されたＸ方向駆動軸６２４を回転駆動する駆動源としてのＸ方向駆動モータ（サーボモータ）Ｍ５とを備える。
なお、回転方向駆動モータＭ３、Ｙ方向駆動モータＭ４及びＸ方向駆動モータＭ５はそれぞれ独立して制御可能である。回転部材６６２はその中心点の回りに、Ｙ方向移動支持部材６４２はＹ方向駆動軸６４４を軸として、把持部（Ｘ方向移動支持部材）５２はＸ方向駆動軸６２４を軸として、それぞれ独立して回転駆動することができる。また、Ｘ方向駆動機構６２、Ｙ方向駆動機構６４及びθ方向駆動機構６６は、非作動時（静止時）には、曲げ支持機４５の位置における成形体１１０の軸線の延長線上に後述する把持部５４の通路が一致する（基準位置になる）ように設けられている。
【００６４】
このＸ方向移動支持部材５２は、その内側に、図１に模式的に示すように、樹脂成形体１１０を挿通可能に把持する横断面形状を有する成形体把持部５４を備えている。把持部５４は、図８に示すように、Ｘ方向移動支持部材５２の下流側で、少なくとも一対の支持ローラ５２４，５２５を備えている。これらの支持ローラ５２４，５２５は、把持部５４を通過する樹脂成形体１１０の外表面に四方八方から当接して、その樹脂成形体１１０が把持部５４内でその挿通方向（長手方向）以外の方向に位置ズレしたり移動したりすることを防止している。なお、把持部５４は、上記支持ローラ５２４，５４５に代えて、中央部から入口側及び出口側に向けてそれぞれ拡大する形状のシューを備える構成としてもよい。この場合には、樹脂成形体１１０の外周全部をシューによって把持することができる。
この把持部５４を有するＸ方向移動支持部材５２は、Ｘ方向駆動軸６２４によってＸ方向駆動機構６２に連結されている。このＸ方向駆動機構６２を構成するモータＭ５を作動させて、Ｘ方向移動支持部材５２を回転駆動することにより、把持部５４のＸ方向に対する位置（向き）を変更する（Ｘ方向のいずれかの方向に変更する）ことができる。また、Ｙ方向駆動機構６４を構成するモータＭ４を作動させて、Ｙ方向移動支持部材６４２を回転駆動することにより、Ｘ方向と直交するＹ方向に対して把持部５４の位置（向き）を変更することができる。更に、θ方向駆動機構６６を構成するモータＭ３を作動させて、回転部材６６２を回転駆動することにより、把持部５４の角度姿勢を変更することができる。これらの位置及び／又は姿勢の変更を組み合わせて行うことにより、把持部５４を任意の位置（Ｘ方向、Ｙ方向）及び／又は角度姿勢（θ方向）に調整したり、その位置及び／又は角度姿勢を任意の時期に変更したりすることができる。
加えて、回転部材６６２、Ｙ方向移動支持部材６４２及びＸ方向移動支持部材５２をそれぞれ独立に回転駆動することにより、把持部５４を任意の位置（Ｘ方向、Ｙ方向）及び／又は角度姿勢（θ方向）に調整したり、その位置及び／又は角度姿勢を任意の時期に変更したりすることができる。
【００６５】
そして、排出口３８から押し出されるとき又は曲げ支持機４５から送り出されるときの樹脂成形体１１０の押出方向及び角度姿勢を基準にして、この基準位置（姿勢）に対して把持部５４の位置及び／又は角度姿勢を異ならせることにより、把持部５４が曲げの作用点として働き、当該把持部５４を通過する樹脂成形体１１０に軸線の曲げ及び／又は捩じり加工を施すことができる。このことについて以下に説明する。
樹脂成形体１１０は、サイジング流路３１の形状に応じた一定の押出方向及び一定の角度姿勢で排出口３８から押し出され、引抜機４０によりその押出方向と同一方向への力（引抜力、押込力）を付与され、更に曲げ支持機４５を通過する。図８及び図１０に示すように、この曲げ支持機４５を通過するまでの樹脂成形体１１０の移動方向及び角度姿勢は、排出口３８から押し出されたときと実質的に同一である。
曲げ支持機４５を通過した樹脂成形体１１０は、次の曲げ工程において温度が高すぎるときは必要に応じて冷媒吹付機４８の作動により外表面側から冷却されて適切な温度状態に調節され、ベンダー５０のＸ方向移動支持部材５２の把持部５４に供給される。ここで、図８に実線で示すようなベンダー５０の非作動時には、Ｘ方向移動支持部材５２の把持部５４が、排出口３８からの押出方向の延長線上に位置し、且つ排出口３８から押し出されるときの樹脂成形体１１０の角度姿勢と同一の姿勢に配置されている。この場合には、把持部５４に供給された樹脂成形体１１０は、ほぼそのままの形状及び姿勢で下流側に送り出される。
【００６６】
一方、排出口３８から押し出された樹脂成形体１１０に例えばＸ方向への曲げ加工を加える場合には、図８に示すように、Ｘ方向移動支持部材５２を、同図に実線で示す位置からＸ方向駆動軸６４を軸にして左側に回転移動させた一点鎖線で示す位置に配置する。図１０では、この移動した状態にあるＸ方向移動支持部材５２を実線で示し、回転移動前のＸ方向移動支持部材５２の位置を二点鎖線で示している。この回転移動により把持部５４は、排出口３８からの押出方向の延長線上からＸ方向（図８の左方向、図１０の下方向）に変位した位置にその成形体出口方向が向くように配置される。すると、排出口３８から押し出された樹脂成形体１１０は、図１０に示すように、曲げ支持機４５までは押出方向と同一の方向に移動するが、その下流側でＸ方向に変位した方向に強制的に変位させられた把持部５４を通過することから、曲げ支持機４５のローラ４６，４７が設けられた位置（Ｘ方向駆動軸６４と同じ位置）を曲げ支点Ｑとして、その移動方向がＸ方向に変更されることとなる。
なお、上述の記載から、Ｙ方向への曲げ加工及びθ方向（回転方向）への捩じり加工も同様にして実施され得ることが当業者には自明である。
【００６７】
このように、排出口３８からの樹脂成形体１１０の押出方向及び角度姿勢に対して、その押出方向から変位した位置（向き）及び／又はその角度姿勢とは異なる姿勢に配置された把持部５４に樹脂成形体１１０を通過させることにより、樹脂成形体１１０に軸線の曲げ及び／又は捩じり加工を施すことができる。ここで、樹脂成形体の長手方向の全体に亘って曲がりの方向及び程度（曲率半径）並びに捩じれの方向及び程度（強さ）が一定であるような樹脂成形体を製造する場合には、把持部５４を一定の位置（向き）及び／又は姿勢に保って固定して樹脂成形体１１０を通過させればよい。一方、本実施形態のように、長手方向の一部分と他部分とで曲がりの方向、曲率半径及び捩じれの強さが異なる樹脂成形体（図２及び図３に示す全体形状のモールディング１００を構成する基部成形体１１０）を製造する場合には、樹脂成形体１１０を通過させながら把持部５４の位置及び姿勢を変更する。かかる位置及び姿勢の変更を行うためのモータＭ３〜Ｍ５の制御は、樹脂成形体１１０が一定の速度でベンダー５０に供給されて把持部５４を通過するときには、経過時間を成形体１１０の通過長さの代用値として使用し、その経過時間を基準として行ってもよい。また、把持部５４を通過する樹脂成形体１１０の通過長さに応じてモータＭ３〜Ｍ５を制御することによって、より高精度の曲げ及び／又は捩じり加工を行うことができる。
【００６８】
例えば、図１に示すような構成とすることにより、把持部５４を通過する樹脂成形体１１０の長さに応じてモータＭ３〜Ｍ５を制御することができる。θ方向駆動モータＭ３、Ｙ方向駆動モータＭ４及びＸ方向駆動モータＭ５は、それぞれ制御装置８２に電気的に接続されている。この制御装置８２は、引抜機４０に接続された長さ検出器（モータＭ２）からの引抜長さ検出信号Ｓ４によって、引抜機４０から下流側に送り出された樹脂成形体１１０の長さ（引抜長さ）を検出する。制御装置８２は、その引抜長さに応じて、樹脂成形体１１０の長手方向の各部分に所望の曲率半径及び／又は捩じれ強さの加工が施されるように、予め定められたプログラムに従って、θ方向駆動モータＭ３には回転駆動信号Ｓ５を、Ｙ方向駆動モータＭ４にはＹ方向駆動信号Ｓ６を、Ｘ方向駆動モータＭ５にはＸ方向駆動信号Ｓ７をそれぞれ送出する。これらの信号Ｓ５〜Ｓ７により、樹脂成形体１１０の実際の押出長さ（把持部５４を通過する長さ）と同期させて駆動機構６０の作動を制御し、把持部５４を通過する樹脂成形体１１０の長さに応じて所望の曲げ加工及び／又は捩じり加工が施されるように、その把持部５４の配置位置（典型的には上記Ｘ方向及びＹ方向のうちの少なくとも一方向）及び／又は角度姿勢（θ方向）を制御（変更）することができる。また、上記制御方法に替えて、引抜機４０の近傍に別途のロータリーエンコーダ等を設けて樹脂成形体１１０の引抜長さ（把持部５４を通過する長さ）を検出する等の方法も可能である。
【００６９】
このような制御を行うことによって形状精度のよい曲げ及び／又は捩じり加工を行うことができる。特に、圧力センサ８０からの入力信号（圧力検知信号Ｓ１）に応じて引抜速度を調節する場合には、圧力を所定の一定範囲に維持するように引抜速度を増減制御するときには、引抜速度（押出速度）は必ずしも一定にはならない。この場合には、上述のように、引抜長さ検出信号Ｓ４を利用して、把持部を通過する樹脂成形体１１０の長さに応じて把持部５４の位置（向き）及び／又は姿勢を制御する方法を採用することが有効である。これによって、押出ダイ内の樹脂圧力を一定にして良好な押し出しを行うことができるとともに、その結果として押出速度が変動した場合にも把持部５４の位置及び／又は姿勢変更を精度よく行うことができるので、樹脂成形体１１０の各部に精度の高い曲げ及び／又は捩じり加工を施すことが可能である。なお、本実施形態の装置では、基台６１側からみて、θ方向駆動機構６６、Ｙ方向駆動機構６４、Ｘ方向駆動機構６２の順で配置しているが、この順序は上記に限られるものではなく、例えばＸ方向駆動機構６２、Ｙ方向駆動機構６４、θ方向駆動機構６６の順に配置してもよい。
【００７０】
以上のようにして、所望の曲げ及び捩じれを有する樹脂成形体１１０（モールディング１００を構成する基部成形体）が把持部５４から下流側に送り出される。本実施形態では、引き続いて、この基部成形体１１０の所定部分（図６に示すように、脚部１１４の両側）に、基部成形体１１０とは異なる材料（典型的には、より硬度の低い柔軟な材料）を用いてリップ１２０を形成する。以下、このリップ１２０を形成するリップ成形用ユニットについて説明する。
図１，図８，図９，図１０及び図１１に示すように、Ｘ方向移動支持部材５２（把持部５４）の下流側の端面に、リップ１２０を成形するための第二押出ダイ（押出型）７３が一体的に取り付けられ（連結され）ている。従って第二押出ダイ７３は、把持部５４の移動（位置及び／又は姿勢の変更）と共に移動する。これにより第二押出ダイ７３は、駆動機構６０の作動により、把持部５４を通過した基部成形体１１０の軸線の位置及び／又は角度姿勢に対応した（連動した）位置及び／又は姿勢に配置される。また、Ｘ方向移動支持部材５２と第二押出ダイ７３との間には図示しない断熱層（典型的には空間）が設けられており、これにより第二ダイ７３の熱が把持部５４に伝熱することを防止している。なお、図８，図９，図１０及び図１１では、理解を容易にするために、後述する切断機７６の図示を省略している。また、図１１では引抜機４０を簡略化して図示している。
図１に示すように、第二押出ダイ７３は第二押出機７０のシリンダ７１と連通している。当該シリンダ７１内で加熱溶融されたリップ成形材料は、駆動源（モータ）Ｍ６により制御されるスクリュー７５の回転によってシリンダ７１の先端側に送出され、フレキシブルパイプ７２を通じて、図示しないヒータを備えた第二押出ダイ７３に供給される。このフレキシブルパイプ７２は、図１０及び図１１に示すように、把持部５４の位置及び／又は姿勢の変更に十分に追随できるような長さの余裕をもってシリンダ７１と第二押出ダイ７３とを接続している。また、シリンダ７１から加熱溶融状態で供給されるリップ成形材料の温度が移送中に下がり過ぎないように、フレキシブルパイプ７２には図示しない加熱手段を設けておくことが好ましい。
【００７１】
図９及び図１１によく示されるように、第二押出ダイ７３には、基部成形体１１０の横断面形状に対応した断面形状の挿通孔７４ａと、所望するリップ１２０の横断面形状に対応した形状のオリフィス７４ｂとが形成されている。挿通孔７４ａとオリフィス７４ｂとは下流側の一部で連通しており、第二押出ダイ７３の出口側における挿通孔７４ａ及びオリフィス７４ｂ（以下、両者を併せて「オリフィス７４」ということもある。）の開口形状は、図６に示す基部成形体１１０とリップ１２０とを合わせた横断面形状と一致している。ベンダー５０の把持部５４を通過して所定の曲がり及び／又は捩じれ形状に成形された基部成形体１１０を、その把持部５４の下流側に連結された第二押出ダイ７３にそのまま供給する。そして、加熱溶融状態にあるリップ成形材料を第二押出ダイ７３に供給し、第二押出ダイ７３（挿通孔７４ａ）を通過する基部成形体１１０の曲がり及び／又は捩じれに追随させながら、そのリップ成形材料を基部成形体１１０とともにオリフィス７４から押し出す。これにより、リップ成形材料からなる所定の断面形状のリップ１２０を基部成形体１１０（脚部１１４の外面）と一体化させて、図６に示す断面形状のモールディング１００を押し出すことができる。
なお、図１において、スクリュー７５を駆動するモータＭ６が制御装置８２と電気的に接続された構成としてもよい。かかる構成によると、引抜機４０からの引抜長さ検出信号Ｓ４に応じて、制御装置８２からモータＭ６に駆動信号を送ってスクリュー７５の回転数を制御し、第二押出機７０からのリップ成形材料１２０の送出量を調節することができる。これによって、圧力センサ８０からの圧力検知信号Ｓ１に応じて圧力が所定の一定範囲に維持されるように引抜速度（第二押出ダイ７３に供給される樹脂成形体１１０の供給速度にほぼ対応している）を調節する場合にも、その引抜速度に応じて押出量を増減して適正な量のリップ成形材料１２０をダイ７３に供給することができる。
【００７２】
また、上述した第二押出ダイ７３では、挿通孔７４ａとオリフィス７４ｂとがその下流側部分で連通しており、オリフィス７４の開口形状が基部成形体１１０とリップ１２０とを合わせた横断面形状と一致している。かかる構成の第二押出ダイ７３を用いると、加熱溶融状態にあるリップ成形材料が基部成形体１１０と接触しつつオリフィス７４から押し出される。一方、第二押出ダイ７３の出口側において挿通孔７４ａとオリフィス７４ｂとが若干離れて（近接した位置に）開口する構成の第二押出ダイ７３を用いてもよい。従ってオリフィス７４の開口形状と基部成形体１１０とリップ１２０とを合わせた横断面形状とは若干異なることとなる。この場合にも、オリフィス７４ｂから加熱溶融状態で押し出されたリップ成形材料を第二押出ダイ７３の下流側で基部成形体１１０と速やかに（典型的には、そのリップ成形材料が固化する前に）接触させることにより、基部成形体１１０の形状に沿ってリップ１２０を一体化させることができる。
【００７３】
図１及び図１２に示すように、第二押出ダイ７３の下流側端面には、固定切断ダイ７６２と可動切断ダイ７６４を備える切断機７６が連結されている。上流側に配置された固定切断ダイ７６２は第二押出ダイ７３の下流側端面に一体的に取り付けられている。その下流側に配置された可動切断ダイ７６４には、図１に示すように、流体圧シリンダ等のアクチュエータＡが接続されている。このアクチュエータＡの駆動により、図１３に示すように、固定切断ダイ７６２に対して可動切断ダイ７６４を平面方向（モールディング１００を横切る方向）に移動させることができる。
【００７４】
これらの切断ダイ７６２，７６４には、それぞれオリフィス７４と同じ横断面形状の貫通孔７６２ａ，７６４ａが設けられている。図１２に示すように、固定切断ダイの貫通孔７６２ａと可動切断ダイの貫通孔７６４ａの位置とが一致しているときには、オリフィス７４から押し出されたモールディング１００はそのまま貫通孔７６２ａ，７６４ａを通過して下流側に送り出される。そして、モールディング１００が長手方向に沿って一定の曲率半径で曲げられ及び／又は一定の角度で捩じられて送り出されるときは、所定の長さに達したとき、所定位置でアクチュエータＡを作動させて、図１３に示すように、固定切断ダイ７６２に対して可動切断ダイ７６４を移動させることにより、モールディング１００を所望する長さに切断することができる。
この可動切断ダイ７６４を移動させるアクチュエータＡは、図１に示すように、制御装置８２と電気的に接続された構成とすることができる。かかる構成によると、圧力センサ８０からの圧力検出信号Ｓ１に応じて圧力が所定の一定範囲に維持されるように樹脂成形体１１０の引抜速度（オリフィス７４から押し出されるモールディング１００の押出速度にほぼ対応している）を調節する場合にも、引抜機４０からの引抜長さ検出信号Ｓ４に応じて（実際の引抜長さに合わせて）制御装置８２からアクチュエータＡに切断機駆動信号Ｓ８を送ってアクチュエータＡの駆動タイミングを制御し、モールディング１００の切断を精度よく行うことができる。
なお、図１３では可動切断ダイ７６４を左下方向に移動させているが、第二切断板７６４の移動方向はこれに限定されない。また、このように構成された切断機に代えて、回転刃（回転ソー）により切断するタイプの切断機を使用してもよい。かかる場合にも、上記と同様に、回転刃を駆動するモータを制御装置８２と電気的に接続することにより、樹脂成形体１１０の引抜長さに応じて切断機の駆動タイミングを精度よく制御することができる。また、第二押出ダイと切断機とは上述のように連結せずに離して設置してもよい。
【００７５】
本実施態様の製造装置１は、リップ１２０を基部成形体１１０に一体化させた後にそのリップ１２０を含めてモールディング１００を強制的に冷却する冷却装置を備えることができる。例えば、切断機７６の下流に、所望の長さに切断されたモールディング１００を受入れて冷却する冷却槽及び該冷却槽に冷却水を供給する冷却水供給源を有する冷却装置を配置した構成とすることができる。この配置により、オリフィス７４から押し出されたモールディング１００をすぐに冷却槽に導入し、成形品（モールディング）全体を完全に冷却することができる。或いは、このような冷却装置を配置するとともに図１に示す切断機７６を省略し、オリフィス７４から押し出されたモールディング１００を冷却槽に導入して冷却した後に、冷却装置の下流側で別途の切断装置によってモールディング１００を所定の長さに切断してもよい。また、前述した冷媒吹付機４８と同様に、オリフィス７４から押し出されたモールディング１００に向けて適当な冷媒を吹き付ける冷却装置を設け、その冷却装置の下流側で別途の切断装置によってモールディング１００を所定の長さに切断してもよい。
【００７６】
＜実施態様例２＞
上記構成の製造装置１は、横断面形状及び／又は全体形状の異なる他の長尺状樹脂成形品の製造にも好適に使用することができる。なお、以下において、前述した図１〜図１３に示す実施態様と同様の機能を果たす部分には同じ符号を付し、その説明を省略する。
図１４は、製造装置１を用いて製造し得る他の樹脂成形品（車両用ベルトモールディング）２００の全体形状（車両の側面から見た形状）を示したものである。図示するように、このモールディング２００は、長手方向の一端側である前方部２０２では、軸線Ｐの一方の側（図１４の上側）にある曲げ中心（図示せず）に対して所定の曲率半径Ｒ１で曲げられている。また、長手方向の他端側である後方部２０４では、軸線Ｐの他方の側（図１４の下側）にある曲げ中心（図示せず）に対して所定の曲率半径Ｒ２で曲げられている。その結果、図１４に示す方向から見て、モールディング２００の全体形状は緩やかなＳ字状に成形されている。
このような全体形状を呈するモールディング２００の横断面形状を図１５に示す。図示するように、モールディング２００は、比較的硬質で剛性を有するＴＰＯを含む成形材料から形成された部分である基部成形体２１０と、この基部成形体２１０の一側面から外方に張り出した二つのリップ２２２，２２４とを有する。これらのリップは比較的軟質で柔軟なＴＰＯを主体とする成形材料から形成されている。
【００７７】
上述したような構成の製造装置１において（図１等を参照）、第一押出ダイ２０のオリフィス２７及びサイジング装置３０のサイジング流路３１の開口形状を図１５に示す基部成形体２１０に相当する形状とする。そして、サイジング流路３１の排出口３８から一定の押出方向及び角度姿勢で基部成形体２１０を押し出す。この基部成形体２１０を引抜機４０、及び、必要なら曲げ支持機４５を介し、次いでベンダー５０の把持部５４に供給する。このとき、例えば、図１４に示すモールディング２００の後方端（図１４の右端）に相当する側から前方端（図１４の左端）に相当する側に向けて基部成形体２１０を把持部５４に通過させる場合には、この把持部５４を通過する基部成形体２１０の長さに応じて、把持部５４の位置を次のように変更するとよい。
即ち、まず把持部５４を基準位置（図８に実線で示す位置）からＸ方向に変位させた状態で後方部２０４に相当する部分の基部成形体２１０を通過させる。そして、基部成形体２１０の通過長さが増すにつれて把持部５４のＸ方向への変位量を徐々に少なくし、基部成形体２１０の中央部２０３に相当する部分が通過するときには把持部５４がほぼ基準位置に配置されるようにする。続いて前方部２０２に相当する部分の基部成形体２１０が把持部５４を通過するときには、把持部５４を基準位置よりも−Ｘ方向に変位させた位置に配置させる。このようにして、把持部５４に供給される基部成形体２１０に、その軸線Ｐを緩やかなＳ字状に曲げる加工を施すことができる。
【００７８】
そして、かかる曲げ加工が施されている基部成形体２１０を、基部成形体２１０の横断面形状に対応した断面形状の挿通孔７４ａ及びリップ２２２，２２４の横断面形状に対応した形状のオリフィス７４ｂを有する第二押出ダイ７３に供給する。挿通孔７４ａとオリフィス７４ｂとは下流側の一部で連通しており、第二押出ダイ７３の出口側におけるオリフィス７４の開口形状は、図１５に示す基部成形体２１０とリップ２２２，２２４とを合わせた横断面形状と一致する。第二押出ダイ７３の挿通孔７４ａに基部成形体２１０を通過させながら、加熱溶融状態にあるリップ成形材料を第二押出ダイ７３に供給して基部成形体２１０と共にオリフィス７４から押し出す。これにより、図１５に示す横断面形状のモールディング２００を得ることができる。
【００７９】
＜実施態様例３＞
上記構成の製造装置１は、第一部材と第二部材とがほぼ同一組成の樹脂成形材料から形成された長尺状成形品の製造にも用いることができる。このような構成のモールディング３００の横断面形状の一例を図１８に示す。モールディング３００は、図１に示す第一部材成形装置２により押出成形されて把持部５４を通過することにより所定の曲がり及び／又は捩じれ形状に加工された部分である基部成形体３１０と、その基部成形体３１０の曲がり及び／又は捩じれ形状に沿って長手方向に一体化された二つの付加部３２０とを有する。基部成形体３１０は、比較的幅広な頭部３１２と、その底面から突出した一対の脚部３１４，３１４とを備える。付加部３２０は、各脚部３１４の外面を覆って更にその下方に延びて（突出して）いる。両付加部３２０の中央部及び下部には、それぞれ外側に張り出した凸条部３２０ａ，３２０ｂが長手方向に沿って形成されている。そして、基部成形体３１０及び付加部３２０は、いずれも比較的硬質で剛性を有するＴＰＯを含む成形材料（実質的に同一組成の樹脂成形材料）から形成されている。
【００８０】
このモールディング３００を製造する好適な方法及び装置について図１１を便宜的に利用して説明すれば、上述したような構成の製造装置１において（図１等を参照）、第一押出ダイ２０のオリフィス２７及びサイジング装置３０のサイジング流路３１の開口形状を図１７に示す基部成形体３１０に相当する形状とする。そして、サイジング流路３１の排出口３８から一定の押出方向及び角度姿勢で基部成形体３１０を押し出し、引抜機４０、曲げ支持機４５（省略してもよい）及び把持部５４を介して第二押出ダイ７３に供給する。この第二押出ダイ７３は、基部成形体３１０の横断面形状に対応した断面形状の挿通孔７４ａと、付加部３２０の横断面形状に対応した形状のオリフィス７４ｂとを備える。挿通孔７４ａとオリフィス７４ｂとは下流側の一部で連通しており、第二押出ダイ７３の出口側におけるオリフィス７４の開口形状は、図１８に示す基部成形体３１０と付加部３２０とを合わせた横断面形状と一致する。第二押出ダイ７３の挿通孔７４ａに基部成形体３１０を通過させながら、加熱溶融状態にある付加部成形材料（基部成形材料と実質的に同一組成）を第二押出ダイ７３に供給して基部成形体３１０と共にオリフィス７４から押し出す。これにより、図１８に示す横断面形状のモールディング３００を得ることができる。
【００８１】
このように、第一部材（基部成形体）と第二部材（付加部成形体）とが同一組成の成形材料からなる態様においても、本発明の適用効果が有効に発揮され得る。例えば、図１８に示す横断面形状を有する直線状の成形体を一度の押出工程により押し出して所定の長さに切断した後、この直線状の成形体に曲げ及び／又は捩じり加工を施す場合に比べて、上記実施態様によると横断面形状の変形がない精度のよい長尺状成形品を得ることができる。
なお、上記実施態様のように第一部材及び第二部材を同一組成の成形材料から形成する場合であっても、各部材を押し出す際の成形材料の温度や押出後の冷却速度等によって、第一部材と第二部材とはその構成材料の物性（結晶化の程度等）の異なるものとなり得る。
【００８２】
上述した実施態様では図１に示す構成の製造装置１を使用したが、この製造装置の構成は種々変更することができる。例えば、上記製造装置１から曲げ支持機４５を省略して、引抜機４０の引抜ローラ４２，４３を軸線の曲げ支点とする構成としてもよい。図１６に示す例では、引抜機４０を経た樹脂成形体１１０を、曲げ支持機４５を介することなくそのままＸ方向移動支持部材５２の把持部５４に供給している。この把持部５４には少なくとも二つの支持ローラ５２４，５２５が備えられ、上記実施形態と同様、図示しない駆動機構によって位置及び／又は角度姿勢を任意に変更することができる。サイジング流路３１の排出口３８から一定の押出方向及び角度姿勢で押し出された樹脂成形体１１０は、引抜機４０の引抜ローラ４２，４３によって押出方向と同一方向への引抜力（把持部５４への押込力）を付与されて、把持部５４に供給される。ここで、Ｘ方向移動支持部材５２が基準位置（図１６中に二点鎖線で示す位置）にあるときは、樹脂成形体１１０は排出口３８からの押出方向のままで（軸線の曲げ加工を施されることなく）把持部５４を通過する。一方、図１６に実線で示すように、把持部５４がその駆動軸（例えば、支持ローラ５２４の回転軸と同じ位置）の回りに回転移動した状態にあると、樹脂成形体１１０の当初の押出方向から外れた位置に把持部５４が変位する。これにより把持部５４を通過する樹脂成形体１１０に曲げ加工が施される。このときの曲げ加工では、把持部５４が基準位置にある場合に軸芯Ｐが通過すべき位置が曲げ中心Ｑとなる。なお、図１６では、説明の簡略化のため、冷媒吹付機、リップ形成用ユニット（第二押出ダイ等）及び切断機の図示を省略している。
或いは、把持部５４をジンバル機構で保持し、そのジンバル機構を樹脂成形体の送り出し方向と直交するＸ方向及び該Ｘ方向と直交するＹ方向に移動させる構成としてもよい。この場合、装置の構成が簡素化できる。
【００８３】
また、サイジング装置の構成は上述のものに限られず、熱伝達部材２５を省略してもよい。また、上述の形態ではサイジング流路３１の横断面形状を流路の前後でほぼ一定としたが、流路入口側の一部領域にサイジング流路３１の横断面形状が下流側に向けて徐々に拡大する部分を設けてもよい。サイジング装置の運転条件（使用方法）も上述のものに限られず、例えば、成形材料１１０の溶融部分１１０ｂが排出口３８よりも下流側まで残存していてもよい。排出口３８から樹脂成形体が押し出される段階で、その樹脂成形体の少なくとも表面が熱変形温度以下の温度になって固化し、かつ内部が表面温度よりも高い温度を保った状態であればよい。
【００８４】
排出口３８から押し出された樹脂成形体１１０は、曲げ及び／又は捩じり加工が施されるときに（典型的には、排出口３８から押し出されてから把持部５４を通過するまでの間）塑性変形可能な状態にあればよい。図１０には、把持部５４を通過する前後における樹脂成形体１１０の最も好ましい温度状態の一例を模式的に示している。樹脂成形体１１０のうち、図中の点線Ｔよりも内部側の部分１１０ｃは熱変形温度を上回り且つ溶融温度を下回る温度状態にある部分を、点線Ｔよりも外表面側の部分１１０ｄは当該樹脂成形体を構成する樹脂成形材料の熱変形温度を下回る温度状態にある部分を示している。この図１０に示すように、曲げ支持機４５を通過するときには樹脂成形体１１０の外表面側が熱変形温度を下回るとともに内部側が熱変形温度を上回り且つ溶融温度を下回るような温度状態にあり、把持部５４を通過する時点では樹脂成形体１１０のほぼ全体が熱変形温度を下回るような温度状態となるようにして曲げ及び／又は捩じり加工を施すことが好ましい。或いは、図１６に示すように、把持部５４を通過した後まで樹脂成形体１１０の内部側に熱変形温度を上回る温度状態にある部分１１０ｃが残っていてもよい。このような温度状態を保って軸線の曲げ及び／又は捩じり加工を行うことの利点は前述の通りである。
【００８５】
また、上記実施形態に係る製造装置１では、引抜機４０を設けて押出ダイ内の圧力が一定となるように樹脂成形体１１０の移動速度を調節しているが、このような引抜機４０を設けることなく、押出機１０からの成形材料１１０の押出し量（供給量）の増減調節のみによって樹脂成形体（形状化成形材料）１１０の移動速度を調節してもよい。
また、上記製造装置１の構成に加えて更に第三押出機を設置し、二種の成形材料を用いてなる付加的成形部分（リップ等）を基部成形体に付加し得る構成としてもよい。
【００８６】
＜実施態様例４＞
以下、金属材料から形成された第一部材と、樹脂成形材料により形成された第二部材とが一体化してなる長尺状成形品の製造例を説明する。本実施態様では、図２１に示す横断面形状を有するとともに、図２及び図３に示す全体形状に成形された長尺状成形品（車両用のルーフモールディングであって、車両の左右側部に取り付けて用いられるように成形されたもの）４００を製造する。なお、前述した図１〜図１３に示す実施態様と同様の機能を果たす部分には同じ符号を付し、その説明を省略する。
図２１に示すように、このモールディング４００は、一枚の金属ストリップ材を成形してなる長尺状の金属成形体（第一部材）４１０と、金属成形体４１０の長手方向に沿って形成された樹脂製のリップ４２０とを備える。金属成形体４１０の横断面形状は、裏面側（下側）の一部に長軸方向に沿って開口が形成された略長円状の頭部４１２と、その開口縁から下方に延びる一対の脚部４１４とを有する。リップ４２０は、脚部４１４の外側面からそれぞれ外方に張り出して金属成形体４１０と一体化している。
【００８７】
かかる形状のモールディング４００は、例えば図１９に示す構成の長尺状成形品製造装置３を用いて製造することができる。製造装置３の上流側には、複数組（ここでは模式的に五組を示している）の成形ローラ９２を備えたロール成形機４が備えられている。これらの成形ローラ９２には図示しない駆動源（モータ）が接続されている。アンコイラ９０から供給されるスチールやステンレス鋼等の金属ストリップ材は、これらの成形ローラ９２によって、図２０に示す横断面形状に成形（いわゆるロール成形）されつつ下流側に連続して送出される。その金属成形体４１０は、ロール成形機４の下流位置に設けられた第一部材測長装置９４に導入される。
第一部材測長装置９４は、一対のローラ４２，４３を備える。これらのローラ４２，４３は、金属成形体４１０のロール成形機４からの送り出し方向の延長線を上下から挟むような位置に、回転可能に配置されている。これらのローラ４２，４３を金属成形体４１０に接触させるとともに、その金属成形体４１０の移動に伴ってローラ４２，４３を回転させる。また、第一部材測長装置９４は、これを通過する金属成形体４１０の長さを検出する長さ検出器９６（例えば、ローラ４２，４３の回転量を検出するロータリーエンコーダ）を備える。この長さ検出器９６から通過長さ検出信号Ｓ９を制御装置８２に送ることにより、その通過長さ（金属成形体４１０の供給長さ）に応じて駆動装置６０の作動を制御することができる。
【００８８】
第一部材測長装置９４の下流側には、図１に示す構成から冷媒吹付機４８が省略されている点以外はほぼ同様に構成されたベンダー５０が備えられている。制御装置８２からの駆動信号Ｓ５，Ｓ６，Ｓ７に応じて把持部５４の位置及び／又は姿勢を変更することにより、把持部５４を通過する金属成形体４１０に軸線の曲げ加工及び／又は捩じり加工を施すことができる。そして、把持部５４を有するＸ方向移動支持部材５２（把持部５４）の下流側の端面に、リップ４２０を成形するための第二押出ダイ（押出型）７３が連結されている。
例えば図２２に示すように、駆動機構６０の作動により把持部５４を、その基準位置（同図に二点鎖線で示す位置）からＸ方向に変位した位置にその成形体出口方向が向くように（同図に実線で示す位置に）配置する。これにより第二押出ダイ７３は、把持部５４を通過した金属成形体４１０の軸線の位置及び／又は角度姿勢に対応した（連動した）位置及び／又は姿勢に配置される。かかる配置の把持部５４を通過することによりＸ方向への曲げ加工が施されて塑性変形した金属成形体４１０はそのまま第二押出ダイ７３に供給される。
【００８９】
図１１を便宜的に利用して説明すれば、第二押出ダイ７３は、金属成形体４１０の横断面形状に対応した断面形状の挿通孔７４ａと、リップ４２０の横断面形状に対応した形状のオリフィス７４ｂとを備える。挿通孔７４ａとオリフィス７４ｂとは下流側の一部で連通しており、第二押出ダイ７３の出口側におけるオリフィス７４の開口形状は、図２１に示す基部成形体４１０とリップ４２０とを合わせた横断面形状と一致する。第二押出ダイ７３の挿通孔７４ａに金属成形体４１０を通過させながら、加熱溶融状態にあるリップ成形材料を第二押出ダイ７３に供給して金属成形体４１０と共にオリフィス７４から押し出す。これにより、図２１に示す横断面形状のモールディング４００を得ることができる。
【００９０】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書又は図面に説明した技術要素は、単独で或いは各種の組み合わせによって技術的有用性を発揮するものであり、出願時請求項記載の組み合わせに限定されるものではない。また、本明細書又は図面に例示した技術は複数目的を同時に達成するものであり、そのうちの一つの目的を達成すること自体で技術的有用性を持つものである。
【図面の簡単な説明】
【図１】本発明の製造方法を実施するための長尺状成形品製造装置の一例を示す概略説明図である。
【図２】一実施形態に係る長尺状成形品の全体形状を示す正面図である。
【図３】図２のＩＩＩ方向矢視図である。
【図４】（ａ）は図２の（ａ）−（ａ）線断面図であり、（ｂ）は図２の（ｂ）−（ｂ）線断面図であり、（ｃ）は図２の（ｃ）−（ｃ）線断面図である。
【図５】一実施形態に係る長尺状成形品の基部成形体の横断面形状を示すもので、図１０のＶ−Ｖ線断面図である。
【図６】一実施形態に係る長尺状成形品の横断面形状を示すもので、図１０のＶＩ−ＶＩ線断面図である。
【図７】図１の要部を模式的に示す断面図である。
【図８】図１の要部を模式的に示す平面図である。
【図９】図８のＩＸ方向矢視図である。
【図１０】一実施形態に係る製造装置のベンダーの作動を示すもので、図８の要部を模式的に示す平面図である。
【図１１】図１の要部を示す斜視図である。
【図１２】一実施形態に係る製造装置の切断機を示す説明図である。
【図１３】一実施形態に係る製造装置の切断機の作動を示す説明図である。
【図１４】一実施形態に係る樹脂成形品の全体形状を示す正面図である。
【図１５】図１４のＸＶ−ＸＶ線断面図である。
【図１６】一実施形態に係る製造装置のベンダーの作動を示すもので、図８の要部を模式的に示す平面図である。
【図１７】一実施形態に係る長尺状成形品の基部成形体を示す横断面図である。
【図１８】一実施形態に係る長尺状成形品を示す横断面図である。
【図１９】本発明の製造方法を実施するための長尺状成形品製造装置の他の一例を示す概略説明図である。
【図２０】一実施形態に係る長尺状成形品の基部成形体の横断面形状を示すもので、図２２のＸＸ−ＸＸ線断面図である。
【図２１】一実施形態に係る長尺状成形品の横断面形状を示すもので、図２２のＸＸＩ−ＸＸＩ線断面図である。
【図２２】一実施形態に係る製造装置のベンダーの作動を示すもので、図１９の要部を模式的に示す平面図である。
【図２３】第一部材と第二部材が一体化された直線状の複合成形体を曲げ加工する様子を示す平面図である。
【図２４】図２３のＸＸＩＶ−ＸＸＩＶ線断面図である。
【図２５】図２３のＸＸＶ−ＸＸＶ線断面図である。
【符号の説明】
１：樹脂成形品製造装置（長尺状成形品製造装置）
２：第一部材成形装置
３：長尺状成形品製造装置
４：ロール成形機（第一部材成形装置）
２０：第一押出ダイ（第一押出成形型）
３０：サイジング装置
３１：サイジング流路
３８：排出口
４０：引抜機（引抜装置、第一部材供給装置）
５０：ベンダー
５２：Ｘ方向移動支持部材
５４：把持部
６０：駆動機構（移動機構）
７０：第二押出機（押出機）
７２：フレキシブルパイプ
７３：第二押出ダイ（押出型）
７４：オリフィス
７６：切断機（切断装置）
８０：圧力センサ
８２：制御装置
９４：第一部材測長装置
９６：長さ検出器
１００，２００，３００，４００：モールディング（長尺状成形品）
１１０，２１０，３１０：基部成形体（樹脂成形体、第一部材）
１２０，２２２，２２４，４２０：リップ（第二部材）
３２０：付加部（第二部材）
４１０：基部成形体（第一部材）
Ｓ４，Ｓ９：引抜長さ検出信号（供給長さ検出信号、通過長さ検出信号）
Ｓ５：回転駆動信号
Ｓ６：Ｙ方向駆動信号
Ｓ７：Ｘ方向駆動信号
Ｍ２：モータ（長さ検出器）
Ｍ３：θ方向駆動モータ（駆動源）
Ｍ４：Ｙ方向駆動モータ（駆動源）
Ｍ５：Ｘ方向駆動モータ（駆動源）
Ｐ：軸線
【図１】
2004306530.tif 000003
【図２】
2004306530.tif 000004
【図３】
2004306530.tif 000005
【図４】
2004306530.tif 000006
【図５】
2004306530.tif 000007
【図６】
2004306530.tif 000008
【図７】
2004306530.tif 000009
【図８】
2004306530.tif 000010
【図９】
2004306530.tif 000011
【図１０】
2004306530.tif 000012
【図１１】
2004306530.tif 000013
【図１２】
2004306530.tif 000014
【図１３】
2004306530.tif 000015
【図１４】
2004306530.tif 000016
【図１５】
2004306530.tif 000017
【図１６】
2004306530.tif 000018
【図１７】
2004306530.tif 000019
【図１８】
2004306530.tif 000020
【図１９】
2004306530.tif 000021
【図２０】
2004306530.tif 000022
【図２１】
2004306530.tif 000023
【図２２】
2004306530.tif 000024
【図２３】
2004306530.tif 000025
【図２４】
2004306530.tif 000026
【図２５】
2004306530.tif 000027